(57)【特許請求の範囲】
【請求項１】
放送局、受信機、端末、ウェブサイトを備えたデータ表示システムにおいて、
放送局は、放送信号に、放送局ＩＤ、ＵＲＬを含む付帯情報を付加して放送し、
受信機は、放送局からの放送信号から付帯情報を検出し、該付帯情報を蓄積部に蓄積し、該付帯情報により特定されるＵＲＬ、放送局ＩＤを端末に送信し、
端末は、受信機から該ＵＲＬ、該放送局ＩＤを受信し、該付帯情報に含まれるＵＲＬにより特定されるウェブサイトにアクセスし、該付帯情報に含まれる少なくとも放送局ＩＤを含む追加情報取得要求を送信し、
ウェブサイトは、端末から受信した追加情報取得要求に含まれる少なくとも放送局ＩＤに対する予め定められた追加情報を求め、該追加情報を端末に返答し、
端末は、ウェブサイトから追加情報を受信し、該追加情報を表示部に可聴又は可視表示する
データ表示システム。
【請求項２】
放送局は、付帯情報に、さらにフラグを埋めこみ、
受信機は、前記フラグにしたがって、ウェブサイトへの問合せの要否、及び／又は、モバイル端末への付帯情報の送信の要否、を判断し、その判断結果に従い処理を実行することを特徴とする請求項１に記載のデータ表示システム。
【請求項３】
追加情報取得要求は、付帯情報を含み、
ウェブサイトは、
付帯情報に対して、番組又はＣＭに対する関連する追加情報を記憶したウェブサイト記憶部を備え、
ウェブサイト記憶部を参照して、受信した追加情報取得要求の付帯情報に従い追加情報を求める
ことを特徴とする請求項１又は２に記載のデータ表示システム。
【請求項４】
請求項１乃至３のいずれかに記載のデータ表示システムと、
データ収集サーバと
を備え、
前記データ収集サーバは、端末が追加情報を表示した際のログである接触ログ、及び／又は、受信機が放送信号から検出した際のログである視聴ログを、データ収集サーバ記憶部に記憶する
調査システム。
【請求項５】
受信機は、追加情報を端末に送信すると、受信機ＩＤ、付帯情報の検出日時、付帯情報と、端末への通信日時、端末ＩＤを含む通信ログを作成し、データ収集サーバに対し、該通信ログを送信し、
データ収集サーバは、通信ログをデータ収集サーバ記憶部に記憶する
ことを特徴とする請求項４に記載の調査システム。
【請求項６】
さらに、アクセスについてのログを作成するための測定用サーバを備え、
ＵＲＬ又は追加情報によるウェブサイト表示において、ＵＲＬ又は追加情報に接触ログの収集のためのタグを埋め込み、
端末は、ＵＲＬ又は追加情報によるウェブサイト表示において、埋め込まれたタグにより測定サーバにアクセスし、
測定サーバは、端末のアクセスについての接触ログを端末から受信し、接触ログをログ記憶部に記憶する
ことを特徴とする請求項４又は５に記載の調査システム。
【請求項７】
放送局、受信機、端末、ウェブサイトを備えたデータ表示システムにおけるデータ表示方法において、
放送局は、放送信号に、放送局ＩＤ、ＵＲＬを含む付帯情報を付加して放送し、
受信機は、放送局からの放送信号から付帯情報を検出し、該付帯情報を蓄積部に蓄積し、該付帯情報により特定されるＵＲＬ、放送局ＩＤを端末に送信し、
端末は、受信機から該ＵＲＬ、該放送局ＩＤを受信し、該付帯情報に含まれるＵＲＬにより特定されるウェブサイトにアクセスし、該付帯情報に含まれる少なくとも放送局ＩＤを含む追加情報取得要求を送信し、
ウェブサイトは、端末から受信した追加情報取得要求に含まれる少なくとも放送局ＩＤに対する予め定められた追加情報を求め、該追加情報を端末に返答し、
端末は、ウェブサイトから追加情報を受信し、該追加情報を表示部に可聴又は可視表示する
データ表示方法。
【請求項８】
放送局、受信機、端末、ウェブサイトを備えたデータ表示システムにおける端末であって、
受信機が、放送局から放送された放送信号から、放送局ＩＤ、ＵＲＬを含む付帯情報を検出し、該付帯情報を蓄積部に蓄積し、該付帯情報により特定されるＵＲＬ、放送局ＩＤを端末に送信すると、
端末は、受信機から該ＵＲＬ、該放送局ＩＤを受信し、該付帯情報に含まれるＵＲＬにより特定されるウェブサイトにアクセスし、該付帯情報に含まれる少なくとも放送局ＩＤを含む追加情報取得要求を送信し、
ウェブサイトが、端末から受信した追加情報取得要求に含まれる少なくとも放送局ＩＤに対する予め定められた追加情報を求め、該追加情報を端末に返答すると、
端末は、ウェブサイトから追加情報を受信し、該追加情報を表示部に可聴又は可視表示する
端末。
【請求項９】
放送局、受信機、端末、ウェブサイトを備えたデータ表示システムにおける端末のデータ表示プログラムであって、
受信機が、放送局から放送された放送信号から、放送局ＩＤ、ＵＲＬを含む付帯情報を検出し、該付帯情報を蓄積部に蓄積し、受信機から該付帯情報により特定されるＵＲＬ、放送局ＩＤが端末に送信されると、端末の処理部は、受信機から該ＵＲＬ、該放送局ＩＤを受信し、該付帯情報に含まれるＵＲＬにより特定されるウェブサイトにアクセスし、該付帯情報に含まれる少なくとも放送局ＩＤを含む追加情報取得要求を送信する手順と、
ウェブサイトが、端末から受信した追加情報取得要求に含まれる少なくとも放送局ＩＤに対する予め定められた追加情報を求め、ウェブサイトから該追加情報が端末に返答されると、端末の処理部は、ウェブサイトから追加情報を受信し、該追加情報を表示部に可聴又は可視表示する手順と
を端末のコンピュータに実行させるためのデータ表示プログラム。
【発明の詳細な説明】
【技術分野】
【０００１】
本発明は、データ表示システム及び方法及びプログラム、調査システム及び方法及びプログラム、受信機、端末に係る。本発明は、特に、テレビ等の受信機を入り口にした、セカンドスクリーン端末との情報連携を促すシステムにおいて、テレビ等の受信機を起点とした情報の流れ・拡がりを測定するためのデータ表示システム及び方法及びプログラム、調査システム及び方法及びプログラム、受信機、端末に関する。また、本発明は、特に、テレビ等の受信機とモバイル端末とを情報の流れにおいて、接続することと、それらの情報の流れ、情報への接触について測定・調査するためのデータ表示システム及び方法及びプログラム、調査システム及び方法及びプログラム、受信機、端末に関する。
【背景技術】
【０００２】
従来、テレビ視聴率やラジオ聴取率測定の手法のひとつに放送識別（ＩＤ）信号を利用するシステムが提案されている（例えば、特許文献１、特許文献２参照。）。放送ＩＤ信号とは、放送局を識別するための放送局毎にユニークに割り付けられた信号で、時刻データなども含むことができる。
【０００３】
このシステムでは、放送局側に放送ＩＤ信号を放送信号に重畳するための放送ＩＤ重畳装置を設け、オーディオ信号周波数帯域内で放送識別（ＩＤ）信号を構成し、これを放送番組のオーディオ信号に重畳する。その一方で、受信側では、調査対象者に、マイクロフォンを有する放送ＩＤ解読装置を常時携帯させるようにする。調査対象者は、１日の生活の全ての又は起きてる時間、この放送ＩＤ解読装置を携帯する。そして、調査対象者が接触する全ての周囲音の中から、もし放送ＩＤ番号が解読された場合は、装置内部のメモリーにその事実を記録する。このような放送ＩＤ解読記録は、放送ＩＤコードとその解読時刻などを備え、別に用意した回収装置でその記録を調査会社が収集し、テレビ視聴率やラジオ聴取率が計算される。
【０００４】
また、放送波を常時監視することで、その監視結果を視聴率や聴取率集計に反映させるシステムが開示されている（例えば、特許文献３参照。）。
また、電子透かしを利用した視聴率測定システムは、特許文献４に開示された技術などにより既に提案されており、既に実用化されている。
さらに、特許文献５では、受像機に２次元コードを表示し、携帯端末のカメラで２次元コードを撮影し、ＵＲＬアドレスを得るものが記載されている。
【先行技術文献】
【特許文献】
【０００５】
【特許文献１】特開平１０−５００２６３号公報
【特許文献２】特開平０７−００７４８３号公報
【特許文献３】特開２００２−１８５４１６号公報
【特許文献４】特許第３８１０７９０号公報
【特許文献５】特許第４４９８７７５号公報
【発明の概要】
【発明が解決しようとする課題】
【０００６】
従来、テレビとモバイル端末をつなぐためには、検索キーワード、二次元コードなど、写真を撮ることによる方法が想定される。例えば、特許文献５のようなＵＲＬアドレスを得るための手順では、ユーザが携帯端末での撮影操作が手間となってしまうことが課題であり、ユーザの手間を取らず、容易に同等のことを実施することが望まれる。
【０００７】
また、従来、モバイル端末からウェブサイトにアクセスするためには、画面に、例えば、「つづきはネットで」等と指示され、検索キーワードを入力させる場合がある。
または、ＣＭで扱われる商品についてアクセスするための提示をした場合でも、ＰＣまたはモバイル端末で、ネットで調べてもらえるかどうかは、モバイル端末のユーザ次第あり、必ずしもネットで調べるとは限らない。
【０００８】
このように、それぞれ接続されていないシステム（オフライン）で、ユーザによる操作及びシステムの動作等の一連の処理・操作の流れが自動化されておらず、視聴者に有効な情報の流れを作り出せない場合が想定される。
【０００９】
このように、従来は、例えば、次のような課題が想定される。
・受像機からモバイル端末への情報の流れや、モバイル端末での接触が測定できないこと
・受像機の視聴測定のために、放送局で信号を埋めて、受像機で検出した場合であっても、モバイル端末による視聴・接触等について、正確に視聴ログ・接触ログ等を調査する仕組みがないこと
・受像機からの情報取得に際しては、例えば、巧みに２次元コードの撮影を行わなければいけないこと
【００１０】
本発明は、以上の点に鑑み、受像機からモバイル端末への情報の流れや、モバイル端末での情報接触を容易に測定することを、ひとつの目的とする。また、本発明は、受像機での視聴測定を、放送局で信号を埋めて、受像機で検出し、正確に視聴ログ・接触ログ等を調査することを他の目的とする。さらに、本発明は、ユーザの手間をかけず、受像機からの情報をモバイル端末に送ることを他の目的とする。
【００１１】
さらに、本発明は、接続されていないシステム間の動作を自動的に行い、モバイル端末などのセカンドスクリーンまでの処理・操作の流れを作り、プッシュ型で受像機（テレビ）情報等の追加情報と関連させて、モバイル端末に伝えることを可能とすることを他の目的とする。また、本発明は、テレビを見てもらうことの後押しにつながるように、テレビを起点とした、ユーザエクスペリエンスを高めることに寄与することを他の目的とする。また、本発明は、これまでにない、テレビ受像機に新しい機能を持つことにより、一層利便性を高め、見るテレビから、使うテレビとし、モバイル、スマートフォン等による、セカンドスクリーン、サードスクリーン等に連携することを他の目的とする。
【課題を解決するための手段】
【００１２】
上述のような、本発明では、例えば、新しい情報・処理・操作の流れ、すなわち、セカンドスクリーン連携等について、テレビ単独のみならず、モバイル端末への情報・処理・操作の流れによる情報接触、及び、そのような情報接触を調査する新しい仕組みを提示する。また、本発明では、これらを実現するために、正確な視聴チャンネル判定を行うことができるように、放送局で信号を入れて、受像機でその信号を検出する仕組みを提示する。
【００１３】
本発明の第１の解決手段によると、
放送局、受信機、端末、ウェブサイトを備えたデータ表示システム、及び、データ表示システムにおけるデータ表示方法において、
放送局は、放送信号に、放送日時、放送局ＩＤを含む付帯情報を付加して放送し、
受信機は、放送局からの放送信号から付帯情報を検出し、該付帯情報により特定されるＵＲＬのウェブサイトに追加情報取得要求を送信し、
ウェブサイトは、受信機から受信した追加情報取得要求に対する予め定められた追加情報を求め、該追加情報を受信機に返答し、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末は、受信機から追加情報を受信し、該追加情報を表示部に可聴又は可視表示する
データ表示システム、及び、データ表示方法が提供される。
【００１４】
本発明の第２の解決手段によると、
放送局、受信機、端末、ウェブサイト、データ収集サーバを備えた調査システム、及び、調査システムにおける調査方法において、
放送局は、放送信号に、放送日時、放送局ＩＤを含む付帯情報を付加して放送し、
受信機は、放送局からの放送信号から付帯情報を検出し、該付帯情報により特定されるＵＲＬのウェブサイトに追加情報取得要求を送信し、
ウェブサイトは、受信機から受信した追加情報取得要求に対する予め定められた追加情報を求め、該追加情報を受信機に返答し、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末は、受信機から追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査システム、及び、調査方法提供される。
【００１５】
本発明の第３の解決手段によると、
放送局、受信機、端末、ウェブサイトを備えたデータ表示システム、及び、データ表示システムにおけるデータ表示方法において、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報により特定されるＵＲＬを端末に送信し、
端末は、受信機から該ＵＲＬを受信し、該ＵＲＬのウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示する
データ表示システム、及び、データ表示方法が提供される。
【００１６】
本発明の第４の解決手段によると、
放送局、受信機、端末、ウェブサイト、データ収集サーバを備えた調査システム、及び、調査システムにおける調査方法において、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報により特定されるＵＲＬを端末に送信し、
端末は、受信機から該ＵＲＬを受信し、該ＵＲＬのウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査システム、及び、調査方法が提供される。
【００１７】
本発明の第５の解決手段によると、
放送局、受信機、端末、ウェブサイトを備えたデータ表示システム、及び、データ表示システムにおけるデータ表示方法において、
ＵＲＬを特定するための情報に対してＵＲＬを記憶したネームサーバ記憶部を有するネームサーバをさらに備え、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報に含まれるＵＲＬを特定するための情報を端末に送信し、
端末は、受信機から該ＵＲＬを特定するための情報を受信し、ネームサーバに該ＵＲＬを特定するための情報を送信し、
ネームサーバは、前記ネームサーバ記憶部を参照して、前記ＵＲＬを特定するための情報に従いＵＲＬを求めて、該ＵＲＬを端末に返送し、
端末は、受信した該ＵＲＬにより特定されるウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示する
データ表示システム、及び、データ表示方法が提供される。
【００１８】
本発明の第６の解決手段によると、
放送局、受信機、端末、ウェブサイト、データ収集サーバを備えた調査システム、及び、調査システムにおける調査方法において、
ＵＲＬを特定するための情報に対してＵＲＬを記憶したネームサーバ記憶部を有するネームサーバをさらに備え、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報に含まれるＵＲＬを特定するための情報を端末に送信し、
端末は、受信機から該ＵＲＬを特定するための情報を受信し、ネームサーバに該ＵＲＬを特定するための情報を送信し、
ネームサーバは、前記ネームサーバ記憶部を参照して、前記ＵＲＬを特定するための情報に従いＵＲＬを求めて、該ＵＲＬを端末に返送し、
端末は、受信した該ＵＲＬにより特定されるウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査システム、及び、調査方法が提供される。
【００１９】
本発明の第７の解決手段によると、
放送局、受信機、端末、ウェブサイトを備えたデータ表示システムにおける受信機であって、
放送局が、放送信号に、放送日時、放送局ＩＤを含む付帯情報を付加して放送すると、
受信機は、放送局からの放送信号から付帯情報を検出し、該付帯情報により特定されるＵＲＬのウェブサイトに追加情報取得要求を送信し、
ウェブサイトが、受信機から受信した追加情報取得要求に対する予め定められた追加情報を求め、該追加情報を受信機に返答すると、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末に、受信機から受信した前記追加情報を表示部に可聴又は可視表示させるようにした
受信機が提供される。
【００２０】
本発明の第８の解決手段によると、
放送局、受信機、端末、ウェブサイトを備えたデータ表示システムにおける受信機であって、
放送局が、放送信号に、放送日時、放送局ＩＤを含む付帯情報を付加して放送すると、
受信機は、放送局からの放送信号から付帯情報を検出し、該付帯情報により特定されるＵＲＬのウェブサイトに追加情報取得要求を送信し、
ウェブサイトが、受信機から受信した追加情報取得要求に対する予め定められた追加情報を求め、該追加情報を受信機に返答すると、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末に、受信機から受信した前記追加情報を表示部に可聴又は可視表示させるようにし、
さらに、
端末に、追加情報を表示した際のログである接触ログ、及び／又は、受信機が放送信号から検出した際のログである視聴ログを、データ収集サーバ記憶部に記憶させるようにする
受信機が提供される。
【００２１】
本発明の第９の解決手段によると、
放送局、受信機、端末、ウェブサイトを備えたデータ表示システムにおける端末であって、
受信機が、放送局から放送された放送信号から、放送日時、放送局ＩＤを含む付帯情報を検出し、該付帯情報を蓄積部に蓄積し、該付帯情報により特定されるＵＲＬを端末に送信すると、
端末は、受信機から該ＵＲＬを受信し、該ＵＲＬのウェブサイトに追加情報取得要求を送信し、
ウェブサイトが、端末から受信した追加情報取得要求に対する予め定められた追加情報を求め、該追加情報を端末に返答すると、
端末は、ウェブサイトから追加情報を受信し、該追加情報を表示部に可聴又は可視表示する
端末が提供される。
【００２２】
本発明の第１０の解決手段によると、
放送局、受信機、端末、ウェブサイトを備えたデータ表示システムにおける端末であって、
受信機が、放送局から放送された放送信号から、放送日時、放送局ＩＤを含む付帯情報を検出し、該付帯情報を蓄積部に蓄積し、該付帯情報により特定されるＵＲＬを端末に送信すると、
端末は、受信機から該ＵＲＬを受信し、該ＵＲＬのウェブサイトに追加情報取得要求を送信し、
ウェブサイトが、端末から受信した追加情報取得要求に対する予め定められた追加情報を求め、該追加情報を端末に返答すると、
端末は、ウェブサイトから追加情報を受信し、該追加情報を表示部に可聴又は可視表示し、
さらに、
端末は、追加情報を表示した際のログである接触ログ、及び／又は、受信機が放送信号から検出した際のログである視聴ログを、データ収集サーバ記憶部に記憶する
端末が提供される。
【００２３】
本発明の第１１の解決手段によると、
放送局、受信機、端末、ウェブサイト、ＵＲＬを特定するための情報に対してＵＲＬを記憶したネームサーバ記憶部を有するネームサーバを備えたデータ表示システムにおける端末であって、
受信機が、放送局から放送された放送信号から、放送日時、放送局ＩＤを含む付帯情報を検出し、該付帯情報を蓄積部に蓄積し、該付帯情報に含まれるＵＲＬを特定するための情報を端末に送信すると、
端末は、受信機から該ＵＲＬを特定するための情報を受信し、ネームサーバに該ＵＲＬを特定するための情報を送信し、
ネームサーバが、前記ネームサーバ記憶部を参照して、前記ＵＲＬを特定するための情報に従いＵＲＬを求めて、該ＵＲＬを端末に返送すると、
端末は、受信した該ＵＲＬにより特定されるウェブサイトに追加情報取得要求を送信し、
ウェブサイトが、端末から受信した追加情報取得要求に対する予め定められた追加情報を求め、該追加情報を端末に返答すると、
端末は、ウェブサイトから追加情報を受信し、該追加情報を表示部に可聴又は可視表示する
端末が提供される。
【００２４】
本発明の第１２の解決手段によると、
放送局、受信機、端末、ウェブサイト、ＵＲＬを特定するための情報に対してＵＲＬを記憶したネームサーバ記憶部を有するネームサーバを備えたデータ表示システムにおける端末であって、
受信機が、放送局から放送された放送信号から、放送日時、放送局ＩＤを含む付帯情報を検出し、該付帯情報を蓄積部に蓄積し、該付帯情報に含まれるＵＲＬを特定するための情報を端末に送信すると、
端末は、受信機から該ＵＲＬを特定するための情報を受信し、ネームサーバに該ＵＲＬを特定するための情報を送信し、
ネームサーバが、前記ネームサーバ記憶部を参照して、前記ＵＲＬを特定するための情報に従いＵＲＬを求めて、該ＵＲＬを端末に返送すると、
端末は、受信した該ＵＲＬにより特定されるウェブサイトに追加情報取得要求を送信し、
ウェブサイトが、端末から受信した追加情報取得要求に対する予め定められた追加情報を求め、該追加情報を端末に返答すると、
端末は、ウェブサイトから追加情報を受信し、該追加情報を表示部に可聴又は可視表示し、
さらに、
端末は、追加情報を表示した際のログである接触ログ、及び／又は、受信機が放送信号から検出した際のログである視聴ログを、データ収集サーバ記憶部に記憶する
端末が提供される。
【００２５】
本発明の第１３の解決手段によると、
放送局、受信機、端末、ウェブサイトを備えたデータ表示システムにおける、受信機のデータ表示プログラムであって、
放送局から、放送信号に、放送日時、放送局ＩＤを含む付帯情報を付加して放送されると、受信機の処理部は、放送局からの放送信号から付帯情報を検出し、該付帯情報により特定されるＵＲＬのウェブサイトに追加情報取得要求を送信する手順と、
ウェブサイトが、受信機から受信した追加情報取得要求に対する予め定められた追加情報を求め、ウェブサイトから該追加情報が受信機に返答されると、受信機の処理部は、ウェブサイトから受信した追加情報を、付帯情報に対応して蓄積部に蓄積し、該追加情報を、予め設定された端末宛てに自動により送信し、又は、端末からの問合せにより該端末へ送信し、端末に、受信機から受信した前記追加情報を表示部に可聴又は可視表示させるための手順と、
を受信機のコンピュータに実行させるためのデータ表示プログラムが提供される。
【００２６】
本発明の第１４の解決手段によると、
放送局、受信機、端末、ウェブサイトを備えたデータ表示システムにおける、受信機の調査プログラムであって、
放送局から、放送信号に、放送日時、放送局ＩＤを含む付帯情報を付加して放送されると、受信機の処理部は、放送局からの放送信号から付帯情報を検出し、該付帯情報により特定されるＵＲＬのウェブサイトに追加情報取得要求を送信する手順と、
ウェブサイトが、受信機から受信した追加情報取得要求に対する予め定められた追加情報を求め、ウェブサイトから該追加情報が受信機に返答されると、受信機の処理部は、ウェブサイトから受信した追加情報を、付帯情報に対応して蓄積部に蓄積し、該追加情報を、予め設定された端末宛てに自動により送信し、又は、端末からの問合せにより該端末へ送信し、端末に、受信機から受信した前記追加情報を表示部に可聴又は可視表示させ、さらに、端末に、追加情報を表示した際のログである接触ログ、及び／又は、受信機が放送信号から検出した際のログである視聴ログを、データ収集サーバ記憶部に記憶させるようにするための手順と、
を受信機のコンピュータに実行させるための調査プログラムが提供される。
【００２７】
本発明の第１５の解決手段によると、
放送局、受信機、端末、ウェブサイトを備えたデータ表示システムにおける端末のデータ表示プログラムであって、
受信機が、放送局から放送された放送信号から、放送日時、放送局ＩＤを含む付帯情報を検出し、該付帯情報を蓄積部に蓄積し、受信機から該付帯情報により特定されるＵＲＬが端末に送信されると、端末の処理部は、受信機から該ＵＲＬを受信し、該ＵＲＬのウェブサイトに追加情報取得要求を送信する手順と、
ウェブサイトが、端末から受信した追加情報取得要求に対する予め定められた追加情報を求め、ウェブサイトから該追加情報が端末に返答されると、端末の処理部は、ウェブサイトから追加情報を受信し、該追加情報を表示部に可聴又は可視表示する手順と
を端末のコンピュータに実行させるためのデータ表示プログラムが提供される。
【００２８】
本発明の第１６の解決手段によると、
放送局、受信機、端末、ウェブサイトを備えたデータ表示システムにおける端末の調査プログラムであって、
受信機が、放送局から放送された放送信号から、放送日時、放送局ＩＤを含む付帯情報を検出し、該付帯情報を蓄積部に蓄積し、受信機から該付帯情報により特定されるＵＲＬが端末に送信されると、端末の処理部は、受信機から該ＵＲＬを受信し、該ＵＲＬのウェブサイトに追加情報取得要求を送信する手順と、
ウェブサイトが、端末から受信した追加情報取得要求に対する予め定められた追加情報を求め、ウェブサイトから該追加情報が端末に返答されると、端末の処理部は、ウェブサイトから追加情報を受信し、該追加情報を表示部に可聴又は可視表示する手順と、
さらに、
端末の処理部は、追加情報を表示した際のログである接触ログ、及び／又は、受信機が放送信号から検出した際のログである視聴ログを、データ収集サーバ記憶部に記憶する手順と
を端末のコンピュータに実行させるための調査プログラムが提供される。
【００２９】
本発明の第１７の解決手段によると、
放送局、受信機、端末、ウェブサイト、ＵＲＬを特定するための情報に対してＵＲＬを記憶したネームサーバ記憶部を有するネームサーバを備えたデータ表示システムにおける端末のデータ表示プログラムであって、
受信機が、放送局から放送された放送信号から、放送日時、放送局ＩＤを含む付帯情報を検出し、該付帯情報を蓄積部に蓄積し、受信機から該付帯情報に含まれるＵＲＬを特定するための情報が端末に送信されると、端末の処理部は、受信機から該ＵＲＬを特定するための情報を受信し、ネームサーバに該ＵＲＬを特定するための情報を送信する手順と、
ネームサーバが、前記ネームサーバ記憶部を参照して、前記ＵＲＬを特定するための情報に従いＵＲＬを求めて、ネームサーバから該ＵＲＬが端末に返送されると、端末の処理部は、受信した該ＵＲＬにより特定されるウェブサイトに追加情報取得要求を送信する手順と、
ウェブサイトが、端末から受信した追加情報取得要求に対する予め定められた追加情報を求め、ウェブサイトから該追加情報が端末に返答されると、端末の処理部は、ウェブサイトから追加情報を受信し、該追加情報を表示部に可聴又は可視表示する手順と
を端末のコンピュータに実行させるためのデータ表示プログラムが提供される。
【００３０】
本発明の第１８の解決手段によると、
放送局、受信機、端末、ウェブサイト、ＵＲＬを特定するための情報に対してＵＲＬを記憶したネームサーバ記憶部を有するネームサーバを備えたデータ表示システムにおける端末の調査プログラムであって、
受信機が、放送局から放送された放送信号から、放送日時、放送局ＩＤを含む付帯情報を検出し、該付帯情報を蓄積部に蓄積し、受信機から該付帯情報に含まれるＵＲＬを特定するための情報が端末に送信されると、端末の処理部は、受信機から該ＵＲＬを特定するための情報を受信し、ネームサーバに該ＵＲＬを特定するための情報を送信する手順と、
ネームサーバが、前記ネームサーバ記憶部を参照して、前記ＵＲＬを特定するための情報に従いＵＲＬを求めて、ネームサーバから該ＵＲＬが端末に返送されると、端末の処理部は、受信した該ＵＲＬにより特定されるウェブサイトに追加情報取得要求を送信する手順と、
ウェブサイトが、端末から受信した追加情報取得要求に対する予め定められた追加情報を求め、ウェブサイトから該追加情報が端末に返答されると、端末の処理部は、ウェブサイトから追加情報を受信し、該追加情報を表示部に可聴又は可視表示する手順と、
さらに、
端末の処理部は、追加情報を表示した際のログである接触ログ、及び／又は、受信機が放送信号から検出した際のログである視聴ログを、データ収集サーバ記憶部に記憶する手順と
を端末のコンピュータに実行させるための調査プログラムが提供される。
【発明の効果】
【００３１】
本発明によると、受像機からモバイル端末への情報の流れや、モバイル端末での情報接触を容易に測定することができる。また、本発明によると、受像機での視聴測定を、放送局で信号を埋めて、受像機で検出し、正確に視聴ログ・接触ログ等を調査することが行うことができる。さらに、本発明によると、ユーザの手間をかけず、受像機からの情報をモバイル端末に送ることができる。
【図面の簡単な説明】
【００３２】
【図１】データ表示・調査システムの第１の実施の形態（Ａ−１）の説明図。
【図２】データ表示・調査システムの第１の実施の形態（Ａ−２）の説明図。
【図３】データ表示・調査システムの第１の実施の形態（Ａ−３）の説明図。
【図４】データ表示・調査システムの第２の実施の形態（Ｂ−１）の説明図。
【図５】データ表示・調査システムの第２の実施の形態（Ｂ−２）の説明図。
【図６】データ表示・調査システムの第２の実施の形態（Ｂ−３）の説明図。
【図７】データ表示・調査システムの第３の実施の形態（Ｃ−１）の説明図。
【図８】データ表示・調査システムの第３の実施の形態（Ｃ−２）の説明図。
【図９】（Ａ）視聴ログのフォーマット、（Ｂ）通信ログのフォーマット、（Ｃ）接触ログ（パターン１）のフォーマット、（Ｄ）接触ログ（パターン２）のフォーマットを、それぞれ示す。
【図１０】測定サーバによるロギングについての説明図。
【図１１】データ表示・調査システム（１）の構成図。
【図１２】追加情報記憶部の説明図。
【図１３】データ表示・調査システム（２）の構成図。
【図１４】ＵＲＬ記憶部の説明図。
【図１５】データ表示・調査システム（３）の構成図。
【発明を実施するための形態】
【００３３】
１．システム構成
１−１．システム（１）
図１１に、データ表示・調査システム（１）の構成図を示す。
本システムは、次の構成ブロックを備える。
・放送局１
・受像機２  （テレビ、ＰＣ、ワンセグ端末、セットトップボックス、録画再生機等）
・モバイル端末３  （スマートホン、携帯電話、ＰＣ等）
・ウェブサイト４
・データ収集サーバ５
・測定サーバ６
【００３４】
放送局１は、付帯情報付加部を備える。なお、「放送局」とは、例えば、不特定多数の受け手を対象に素材・コンテンツをテレビ、パソコン、ラジオ、携帯機器等に放送・配信・報道するような機関・組織・主体などを指す。受像機２は、検出機能・個人識別機能・ＧＰＳ機能・受像機ＩＤ設定機能等の各機能を有する処理部、蓄積部、端末通信部、サーバ通信部を備える。また、受像機２は、受信機ＩＤを設定することができる。受像機２としては、テレビやＰＣ以外に様々な受信機を用いることができる。モバイル端末３は、処理部、蓄積部、表示部、ＧＰＳを備える。ウェブサイト４は、追加情報記憶部を備える。データ収集サーバ５は、視聴ログ，通信ログ、接触ログ等を記憶するログ記憶部を備える。測定サーバ６は、接触ログを蓄積するログ記憶部を備える。また、受像機２の処理部及びモバイル端末３の処理部は、それぞれ、以下で説明する各動作シーケンスの該当するステップ（手順）を実行する。
【００３５】
図９（Ａ）に、視聴ログのフォーマットを示す。視聴ログは、例えば、受像機ＩＤ、検出日時、個人識別情報、ＧＰＳ情報、付帯情報、を含む。付帯情報として、例えば、放送日時、放送局ＩＤ、チャンネルＩＤ、特典フラグを含む。なお、後述の各実施の形態のように、付帯情報には、さらに、ＵＲＬ、ユニークキーを含むことができる。
図９（Ｂ）に、通信ログのフォーマットを示す。通信ログは、例えば、受像機ＩＤ、検出日時、個人識別情報、ＧＰＳ情報、付帯情報を含む視聴ログに加え、モバイル端末との通信日時、モバイル端末の端末ＩＤ（ＵＩＤ：端末固有の識別ＩＤ）を含む。
図９（Ｃ）に、接触ログ（パターン１）のフォーマットを示す。接触ログ（パターン１）は、例えば、端末ＩＤ、接触日時、ＵＲＬ、モバイルＧＰＳ情報を含む。
図９（Ｄ）に、接触ログ（パターン２）のフォーマットを示す。接触ログ（パターン２）は、例えば、接触ログ（パターン１）に加え、受像機からモバイル端末に送信された場合、付帯情報、検出日時、個人識別、受像機ＩＤ、（受像機）ＧＰＳ情報等を含むことができる。
【００３６】
図１２に、追加情報記憶部の説明図を示す。追加情報記憶部は、例えば、付帯情報の一部又は全部の項目に対応して追加情報が記憶される。
ただし、チャンネルＩＤはひとつの放送局にチャンネルが複数ある場合に指定するもので（たとえばマルチ放送、ワンセグ、ＩＰ放送など）、チャンネルを区別する必要がない場合は、必ずしも放送局ＩＤとチャンネルＩＤの両方が必要ではなく、放送局ＩＤのみでもよい。以降、チャンネルＩＤについての要不要条件及び処理等は同様。
【００３７】
１−２．システム（２）
図１３に、データ表示・調査システム（２）の構成図を示す。このシステム（２）は、図１１のシステム（１）にネームサーバ７が追加されたものである。
ネームサーバ７は、ＵＲＬ記憶部を備える。
【００３８】
図１４に、ＵＲＬ記憶部の説明図を示す。図１４（Ａ）のＵＲＬ記憶部は、ユニークキーに対してＵＲＬを記憶する。図１４（Ｂ）のＵＲＬ記憶部は、放送日時、放送局ＩＤ、チャンネルＩＤに対してＵＲＬを記憶する。
【００３９】
１−３．システム（３）
図１５に、データ表示・調査システム（３）の構成図を示す。このシステム（３）は、図１３に示したシステム（２）と比べて、ネームサーバ７の位置が異なる。すなわち、ネームサーバ７が、モバイル端末と接続される構成となっている。
【００４０】
２．動作概略
本実施の形態は、特に、以下の作用を備える。
・放送局からのキー（付帯情報）により、受像機がインターネットを介してウェブサイトから、追加情報を取得できること。
・視聴者が受像機で見ているチャンネルから付帯情報を抽出し、データ収集サーバに視聴ログを送信すること。
・モバイル端末に対し、自動又は手動で、追加情報を送信し、閲覧できること。
・モバイル端末は、追加情報に接触すると、データ収集サーバにアクセスし、接触ログを送信できること。
【００４１】
以上のような、大きな流れを基本とするが、以下の各実施の形態のバリエーションがある。
（１）放送局から送信する付帯情報の中の、ウェブサイトアドレスに関する情報の形態、さらに、ＵＲＬへの変換の仕方。
（２）ウェブサイトアドレスに関する情報をＵＲＬに変換する場合に、受像機から問合せるか、モバイル端末から問い合わせるか。
（３）ウェブサイトからの追加情報の取得を、受像機で行うか、モバイル端末で行うか。
【００４２】
３．動作シーケンス
以下の項目に沿って動作シーケンスを説明する。
Ａ．第１の実施の形態
Ａ−１．アドレスの変換はなく、ＵＲＬで、受像機が追加情報を取りにいくパターン
Ａ−２．受像機で、ユニークキーをＵＲＬに変換し、受像機が追加情報を取りにいくパターン
Ａ−３．受像機で、日時、局、チャンネルＩＤ（ｃｈＩＤ）をＵＲＬに変換し、受像機が追加情報を取りに行くパターン
Ｂ．第２の実施の形態
Ｂ−１．アドレス変換なく、ＵＲＬで、モバイル端末が追加情報を取りにいくパターン
Ｂ−２．テレビでユニークキーをＵＲＬに変換し、モバイル端末が追加情報を取りに行くパターン
Ｂ−３．テレビで日時、局、ｃｈＩＤをＵＲＬに変換し、モバイル端末が追加情報を取りに行くパターン
Ｃ．第３実施の形態
Ｃ−１．モバイル端末でユニークキーをＵＲＬに変換し、モバイル端末が追加情報を取りに行くパターン
Ｃ−２．モバイル端末で、日時、局、ｃｈＩＤをＵＲＬに変換し、モバイル端末が追加情報を取りに行くパターン
【００４３】
なお、以下の動作シーケンスにおいて、上述したように、チャンネルＩＤはひとつの放送局にチャンネルが複数ある場合に指定するもので（たとえばマルチ放送、ワンセグ、ＩＰ放送など）、チャンネルを区別する必要がない場合は、必ずしも放送局ＩＤとチャンネルＩＤの両方が必要ではなく、チャンネルＩＤを省略して放送局ＩＤのみで、各ステップにおける各処理を実行するようにしてもよい。
【００４４】
Ａ．第１の実施の形態
Ａ−１．アドレスの変換はなく、ＵＲＬで、受像機が追加情報を取りにいくパターン
図１に、データ表示・調査システムの第１の実施の形態（Ａ−１）の説明図を示す。本実施の形態では、図１１に示したシステム（１）を用いる。
以下に、動作シーケンスを各ステップについて説明する。
【００４５】
Ｓ１０１：付帯情報
放送局は、付帯情報付加部で、付帯情報を生成して、放送信号に付加する。ここでは、付帯情報は、一例として、放送日時、放送局ＩＤ、チャンネルＩＤ、特典フラグ、ＵＲＬを含むものとする。
【００４６】
Ｓ１０２：放送
放送局は、放送信号とともに付帯情報を放送する。放送局から、音声透かし、映像透かし、データ放送または、補助帯域、アンシラリデータなどにより、受像機に付帯情報が渡される。または、フィンガープリントなど、放送日時、放送局、チャンネルが特定できうるに十分の情報が送られればよい。
【００４７】
Ｓ１０３：検出日時付加
受像機は、放送局で埋めこんだ付帯情報を検出する検出機能を備える。受像機は、視聴しているチャンネルから、付帯情報を検出する。また、受像機は、検出時に、検出日時を付加する。受像機に内蔵された検出機能により、受像機等の設定・環境に依存してしまうチューニング情報の検出のような仕組みよりも、より正確な視聴チャンネル判定を行うことができる。検出された付帯情報は、のちのステップで、ログとして収集される。
また、受像機は、個人識別機能を有することができる。個人識別機能は、ボタンやリモコンにあってもよい。また、リモコンは、モバイル端末と一体でもよい。個人識別機能は、放送を見ている視聴者を特定する。
さらにまた、受像機は、受像機ＩＤとＧＰＳ機能を保持することができる。受像機ＩＤは、受像機にユニークなＩＤである。ＧＰＳ機能は、受像機のある位置情報を取得できる。
受像機は、検出した付帯情報に、受像機ＩＤ、検出日時、個人識別情報、ＧＰＳ情報を付加して視聴ログを作成し、この視聴ログを蓄積部に記憶する。ログフォーマットは、図９（Ａ）参照。
【００４８】
Ｓ１０４：視聴ログ収集
受像機は、視聴ログを蓄積部から読み出し、サーバ通信部を介して、あらかじめ決められたデータ収集サーバに送る。
データ収集サーバは、視聴ログを受信し、ロギングし、適宜のログ記憶部に記憶する。ログフォーマットは、図９（Ａ）参照。視聴データは、視聴解析に利用できる。
【００４９】
Ｓ１０５：ＵＲＬ取得
受像機は、追加情報の取得のために、付帯情報内に記載のネットワーク上のＵＲＬ（ウェブサイト）を取得する。
【００５０】
Ｓ１０６：追加情報取得要求
受像機は、取得したＵＲＬのウェブサイトに、追加情報取得要求をする。ここでは、最小限、付帯情報中のＵＲＬを用いて、該当するウェブサイトにアクセスする。なお、追加情報取得要求時に、付帯情報中の他の情報、検出日時、個人識別、受像機ＩＤ、ＧＰＳ情報等の適宜の情報も送信することができる。
【００５１】
Ｓ１０７：追加情報
ウェブサイトは、ＵＲＬによって特定され、受像機からの追加情報取得要求に対し、追加情報を返送する。追加情報は、予め定められた情報でもよいし、追加情報取得要求に対応した情報でもよい。なお、受像機からの追加情報取得要求時に、付帯情報、検出日時、個人識別、受像機ＩＤ、ＧＰＳ情報等の適宜の情報が送信された場合、ウェブサイトでは、それらの情報を元に、返送する追加情報に改変を加えることも可能である。
図１２に追加情報記憶部の説明図を示す。追加情報としては、例えば、番組・ＣＭ出演者情報、場所、商品、サービス、クーポン、ネットショッピングサイトなどがある。例えば、追加情報記憶部に、放送日時、放送局、チャンネル等の付帯情報の一部又は全部に対応して、どの番組（またはＣＭ）が視聴されたかを特定して追加情報を含めたり、関連した情報（ウェブページ）を追加情報に含めて記憶しておく。ウェブサイトは、追加情報取得要求に従い、この追加情報記憶部を参照して、所定の追加情報を取得し、受像機に返す。
【００５２】
Ｓ１０８：追加情報蓄積
ウェブサイトから追加情報の応答を受信した受像機は、追加情報とともに、視聴ログを、蓄積部に蓄積する。
【００５３】
Ｓ１０９：追加情報送信
受像機は、最小限、追加情報を、自動により、または、モバイル端末からの問合せにより、ＩＰ、Ｂｌｕｅｔｏｏｔｈ（登録商標）、赤外線などの適宜の通信手段にて、モバイル端末に送信する。このとき、追加情報に加え、付帯情報、検出日時、個人識別、受像機ＩＤ、ＧＰＳ情報等の適宜の情報を送信することができる。自動で転送する場合は、あらかじめ、受像機にモバイル端末の送信先を登録しておく。
このように、本実施の形態では、モバイル端末では、二次元コードの撮影や、検索キーワードをモバイル端末に入力して検索作業をする必要はなく、簡単なアクションで、追加情報を取得できる。また、放送局は、モバイル端末に、例えば、テレビ番組で取り上げられたお店や商品の情報等の追加情報をプッシュすることができる。さらに、モバイル端末は外に持ち出すことができる。
【００５４】
Ｓ１１０：通信ログ送信
受像機は、モバイル端末との通信ログを生成し、蓄積部に保存する。ログイメージは、図９（Ｂ）参照。また、受像機は、データ収集サーバと通信し、通信ログを送信する。通信ログとして、例えば、受像機ＩＤ、検出日時、個人識別情報、ＧＰＳ情報、付帯情報を含む視聴ログに加え、モバイル端末との通信日時、モバイル端末の端末ＩＤを含む。通信ログは、様々なログの解析に利用できる。
データ収集サーバは、通信ログを収集して、ログ記憶部に記憶する。ログイメージは、図９（Ｂ）参照。
【００５５】
Ｓ１１１：モバイル端末での閲覧
追加情報は、モバイル端末の表示部で表示して、閲覧することができる。また、モバイル端末は、追加情報又は付帯情報内のリンク、ＵＲＬ等により、ウェブサイトにモバイル端末からアクセスすることも可能である。
モバイル端末は、追加情報を表示した場合、接触ログを生成し、蓄積部に記憶し、さらに、データ収集サーバに通知する。接触ログとして、最小限、モバイル端末ＩＤ（ＵＩＤ：端末固有の識別ＩＤ、）接触日時、ＵＲＬを含む。さらに、モバイル端末は、自端末のＧＰＳ位置情報（モバイルＧＰＳ情報）を保持し、接触ログに付加することができる。ＧＰＳ位置情報とは、モバイル端末の地理情報位置を示す情報である。ログフォーマットは、図９（Ｃ）「接触ログ（パターン１）」参照。接触ログには他にも、受像機からモバイル端末に送信された場合、付帯情報、検出日時、個人識別、受像機ＩＤ、（受像機）ＧＰＳ情報等も含むことができ、解析に利用できる。ログフォーマットは、図９（Ｄ）「接触ログ（パターン２）」参照。
【００５６】
Ｓ１１２：接触ログ
データ収集サーバは、モバイル端末から、自動又はデータ収集サーバからの問合せ等により、接触ログを収集し、ログ記憶部に記憶する。データ収集サーバでは、接触ログを接触調査等に利用することができる。ログフォーマットは、図９（Ｃ）又は（Ｄ）参照。
【００５７】
Ｓ１１３：測定サーバによる接触ログ
図１０に、測定サーバによる接触ログのロギングについての説明図を示す。
なお、ウェブサイト表示やリンクをたどることによるウェブサイト表示において、ウェブサイトには接触ログの収集のためのタグを埋め込むことができ、このタグは、測定サーバにアクセスし、モバイル端末でのさらなる情報の広がりを測定することができる。測定サーバは、モバイル端末から、自動又は測定サーバからの問合せ等により、接触ログを収集し、ログ記憶部に記憶する。（なお、後述の「５．測定サーバでのロギング」参照。）
【００５８】
Ａ−２．受像機で、ユニークキーをＵＲＬに変換し、受像機が追加情報を取りにいくパターン
図２に、データ表示・調査システムの第１の実施の形態（Ａ−２）の説明図を示す。
本実施の形態では、図１３に示したシステム（２）を用いる。
以下に、動作シーケンスを各ステップについて説明する。
【００５９】
Ｓ１０１ａ：付帯情報
放送局は、付帯情報付加部で、付帯情報を生成して、放送信号に付加する。ここでは、付帯情報は、一例として、放送日時、放送局ＩＤ、チャンネルＩＤ、特典フラグ、アドレスのユニークキーを含むものとする。本実施の形態では、実施の形態Ａ−１に対し、ＵＲＬではなく、アドレスのユニークキーを送信する。
【００６０】
Ｓ１０２：放送
（Ａ−１と同様）
Ｓ１０３：検出日時付加
（Ａ−１と同様）
Ｓ１０４：視聴ログ収集
（Ａ−１と同様）
【００６１】
Ｓ１０５ａ：ＵＲＬ取得
付帯情報内には、ＵＲＬではなく、アドレスのユニークキーが記載されている。このユニークキーをＵＲＬに変換するために、受像機は、デフォルトのサーバ（ネームサーバ）に対し、ユニークキーを送信する。
ネームサーバは、図１４（Ａ）のような、ユニークキーと該当するＵＲＬを保持するテーブルを持っている。ネームサーバは、受像機からのユニークキーの問合せに対し、ユニークキーに該当するＵＲＬを受像機に返却する。受像機は、ネームサーバから、送信したユニークキーに対応したＵＲＬを受信し、取得したＵＲＬを蓄積部に記憶する。
【００６２】
Ｓ１０６：追加情報取得要求
（Ａ−１と同様）
Ｓ１０７：追加情報
（Ａ−１と同様）
Ｓ１０８：追加情報蓄積
（Ａ−１と同様）
Ｓ１０９：追加情報送信
（Ａ−１と同様）
Ｓ１１０：通信ログ送信
（Ａ−１と同様）
Ｓ１１１：モバイル端末での閲覧
（Ａ−１と同様）
Ｓ１１２：接触ログ
（Ａ−１と同様）
Ｓ１１３：測定サーバによる接触ログ
（Ａ−１と同様）
【００６３】
Ａ−３．受像機で、日時、局、ｃｈＩＤをＵＲＬに変換し、受像機が追加情報を取りに行くパターン
図３に、データ表示・調査システムの第１の実施の形態（Ａ−３）の説明図を示す。本実施の形態では、図１３に示したシステム（２）を用いる。
以下に、動作シーケンスを各ステップについて説明する。
【００６４】
Ｓ１０１ｂ：付帯情報
放送局は、付帯情報付加部で、付帯情報を生成して、放送信号に付加する。ここでは、付帯情報は、一例として、放送日時、放送局ＩＤ、チャンネルＩＤ、特典フラグを含むものとする。本実施の形態では、実施の形態Ａ−１やＡ−２に対し、ＵＲＬや、アドレスのユニークキーを付さない。
【００６５】
Ｓ１０２：放送
（Ａ−１と同様）
Ｓ１０３：検出日時付加
（Ａ−１と同様）
Ｓ１０４：視聴ログ収集
（Ａ−１と同様）
【００６６】
Ｓ１０５ｂ：ＵＲＬ取得
付帯情報内には、ＵＲＬや、アドレスのユニークキーは記載されていないが、ウェブサイトのＵＲＬを取得するために、デフォルトのサーバ（ネームサーバ）に対し、放送日時、局ＩＤ、ｃｈＩＤを送信する。
ネームサーバは、図１４（Ｂ）のような放送日時、局ＩＤ、ｃｈＩＤと該当するＵＲＬを保持するテーブルを持っている。ネームサーバは、受像機からの放送日時、局ＩＤ、ｃｈＩＤの問合せに対し、それに該当するＵＲＬを受像機に返却する。
受像機は、ネームサーバから、送信した放送日時、局ＩＤ、ｃｈＩＤに対応したＵＲＬを受信し、取得したＵＲＬを蓄積部に記憶する。
【００６７】
Ｓ１０６：追加情報取得要求
（Ａ−１と同様）
Ｓ１０７：追加情報
（Ａ−１と同様）
Ｓ１０８：追加情報蓄積
（Ａ−１と同様）
Ｓ１０９：追加情報送信
（Ａ−１と同様）
Ｓ１１０：通信ログ送信
（Ａ−１と同様）
Ｓ１１１：モバイル端末での閲覧
（Ａ−１と同様）
Ｓ１１２：接触ログ
（Ａ−１と同様）
Ｓ１１３：測定サーバによる接触ログ
（Ａ−１と同様）
【００６８】
Ｂ．第２の実施の形態
Ｂ−１．アドレス変換なく、ＵＲＬで、モバイル端末が追加情報を取りにいくパターン
図４に、データ表示・調査システムの第２の実施の形態（Ｂ−１）の説明図を示す。
本実施の形態では、図１１に示したシステム（１）を用いる。
以下に、動作シーケンスを各ステップについて説明する。
【００６９】
Ｓ２０１：付帯情報
放送局は、付帯情報付加部で、付帯情報を生成して、放送信号に付加する。ここでは、付帯情報は、一例として、放送日時、放送局ＩＤ、チャンネルＩＤ、特典フラグ、ＵＲＬを含むものとする。
【００７０】
Ｓ２０２：放送
放送局は、放送信号とともに付帯情報を放送する。放送局から、音声透かし、映像透かし、データ放送または、補助帯域、アンシラリデータなどにより、受像機に付帯情報が渡される。または、フィンガープリントなど、放送日時、放送局、チャンネルが特定できうるに十分の情報が送られればよい。
【００７１】
Ｓ２０３：検出日時付加
受像機は、放送局で埋めこんだ付帯情報を検出する検出機能を備える。受像機は、視聴しているチャンネルから、付帯情報を検出する。また、受像機は、検出時に、検出日時を付加する。受像機に内蔵された検出機能により、受像機等の設定・環境に依存してしまうチューニング情報の検出のような仕組みよりも、より正確な視聴チャンネル判定を行うことができる。検出された付帯情報は、のちのステップで、ログとして収集される。
また、受像機は、個人識別機能を有することができる。個人識別機能は、ボタンやリモコンにあってもよい。また、リモコンは、モバイル端末と一体でもよい。個人識別機能は、放送を見ている視聴者を特定する。
さらにまた、受像機は、受像機ＩＤとＧＰＳ機能を保持することができる。受像機ＩＤは、受像機にユニークなＩＤである。ＧＰＳ機能は、受像機のある位置情報を取得できる。
【００７２】
Ｓ２０４：視聴ログ蓄積
受像機は、検出した付帯情報に、受像機ＩＤ、検出日時、個人識別情報、ＧＰＳ情報を付加して視聴ログを作成し、この視聴ログを蓄積部に記憶する。ログフォーマットは、図９（Ａ）参照。
【００７３】
Ｓ２０５：視聴ログ収集
受像機は、視聴ログを蓄積部から読み出し、サーバ通信部を介して、あらかじめ決められたデータ収集サーバに送る。
データ収集サーバは、視聴ログを受信し、ロギングし、適宜のログ記憶部に記憶する。ログフォーマットは、図９（Ａ）参照。視聴データは、視聴解析に利用できる。
【００７４】
Ｓ２０６：付帯情報送信
受像機は、最小限、ＵＲＬを、自動により、または、モバイル端末からの問合せにより、ＩＰ、Ｂｌｕｅｔｏｏｔｈ（登録商標）、赤外線などの適宜の通信手段にて、モバイル端末に送信する。このとき、ＵＲＬに加え、他の付帯情報、検出日時、個人識別、受像機ＩＤ、ＧＰＳ情報等の適宜の情報を送信することができる。自動で転送する場合は、あらかじめ、受像機にモバイル端末の送信先を登録しておく。
このように、本実施の形態では、モバイル端末では、二次元コードの撮影や、検索キーワードをモバイル端末に入力して検索作業をする必要はなく、簡単なアクションで、追加情報を取得できる。また、放送局は、モバイル端末に、例えば、テレビ番組で取り上げられたお店や商品の情報等の追加情報をプッシュすることができる。さらに、モバイル端末は外に持ち出すことができる。
【００７５】
Ｓ２０７：通信ログ送信
受像機は、モバイル端末との通信ログを生成し、蓄積部に保存する。ログイメージは、図９（Ｂ）参照。また、受像機は、データ収集サーバと通信し、通信ログを送信する。通信ログとして、例えば、受像機ＩＤ、検出日時、個人識別情報、ＧＰＳ情報、付帯情報を含む視聴ログに加え、モバイル端末との通信日時、モバイル端末の端末ＩＤを含む。通信ログは、様々なログの解析に利用できる。
データ収集サーバは、通信ログを収集して、ログ記憶部に記憶する。ログイメージは、図９（Ｂ）参照。
【００７６】
Ｓ２０８：ＵＲＬ取得・追加情報取得要求
モバイル端末は、追加情報の取得のために、付帯情報内に記載のネットワーク上のＵＲＬ（ウェブサイト）を取得する。
モバイル端末は、取得したＵＲＬのウェブサイトに、追加情報取得要求をする。ここでは、最小限、付帯情報中のＵＲＬを用いて、該当するウェブサイトにアクセスする。なお、追加情報取得要求時に、付帯情報中の他の情報、検出日時、個人識別、受像機ＩＤ、ＧＰＳ情報、モバイル端末の端末ＩＤ等の適宜の情報も送信することができる。
【００７７】
Ｓ２０９：追加情報
ウェブサイトは、ＵＲＬによって特定され、モバイル端末からの追加情報取得要求に対し、追加情報を返送する。追加情報は、予め定められた情報でもよいし、追加情報取得要求に対応した情報でもよい。なお、モバイル端末からの追加情報取得要求時に、付帯情報、検出日時、個人識別、受像機ＩＤ、ＧＰＳ情報、端末ＩＤ等の適宜の情報が送信された場合、ウェブサイトでは、それらの情報を元に、返送する追加情報に改変を加えることも可能である。
図１２に追加情報記憶部の説明図を示す。追加情報としては、例えば、番組・ＣＭ出演者情報、場所、商品、サービス、クーポン、ネットショッピングサイトなどがある。例えば、追加情報記憶部に、放送日時、放送局、チャンネル等の付帯情報の一部又は全部に対応して、どの番組（またはＣＭ）が視聴されたかを特定して追加情報を含めたり、関連した情報（ウェブページ）を追加情報に含めて記憶しておく。ウェブサイトは、追加情報取得要求に従い、この追加情報記憶部を参照して、所定の追加情報を取得し、モバイル端末に返す。
【００７８】
Ｓ２１０：モバイル端末での閲覧
追加情報は、モバイル端末の表示部で表示して、閲覧することができる。また、モバイル端末は、追加情報又は付帯情報内のリンク、ＵＲＬ等により、ウェブサイトにモバイル端末からアクセスすることも可能である。
モバイル端末は、追加情報を表示した場合、接触ログを生成し、蓄積部に記憶し、さらに、データ収集サーバに通知する。接触ログとして、最小限、モバイル端末ＩＤ（ＵＩＤ：端末固有の識別ＩＤ、）接触日時、ＵＲＬを含む。さらに、モバイル端末は、自端末のＧＰＳ位置情報（モバイルＧＰＳ情報）を保持し、接触ログに付加することができる。ＧＰＳ位置情報とは、モバイル端末の地理情報位置を示す情報である。ログフォーマットは、図９（Ｃ）「接触ログ（パターン１）」参照。接触ログには他にも、受像機からモバイル端末に送信された場合、付帯情報、検出日時、個人識別、受像機ＩＤ、（受像機）ＧＰＳ情報等も含むことができ、解析に利用できる。ログフォーマットは、図９（Ｄ）「接触ログ（パターン２）」参照。
【００７９】
Ｓ２１１：接触ログ
データ収集サーバは、モバイル端末から、自動又はデータ収集サーバからの問合せ等により、接触ログを収集し、ログ記憶部に記憶する。データ収集サーバでは、接触ログを接触調査等に利用することができる。ログフォーマットは、図９（Ｃ）又は（Ｄ）参照。
【００８０】
Ｓ２１２：測定サーバによる接触ログ
図１０に、測定サーバによる接触ログのロギングについての説明図を示す。
なお、ウェブサイト表示やリンクをたどることによるウェブサイト表示において、ウェブサイトには接触ログの収集のためのタグを埋め込むことができ、このタグは、測定サーバにアクセスし、モバイル端末でのさらなる情報の広がりを測定することができる。測定サーバは、モバイル端末から、自動又は測定サーバからの問合せ等により、接触ログを収集し、ログ記憶部に記憶する。（なお、後述の「５．測定サーバでのロギング」参照。）
【００８１】
Ｂ−２．テレビでユニークキーをＵＲＬに変換し、モバイル端末が追加情報を取りに行くパターン
図５に、データ表示・調査システムの第２の実施の形態（Ｂ−２）の説明図を示す。
本実施の形態では、図１３に示したシステム（２）を用いる。
以下に、動作シーケンスを各ステップについて説明する。
【００８２】
Ｓ２０１ａ：付帯情報
放送局は、付帯情報付加部で、付帯情報を生成して、放送信号に付加する。ここでは、付帯情報は、一例として、放送日時、放送局ＩＤ、チャンネルＩＤ、特典フラグ、アドレスのユニークキーを含むものとする。本実施の形態では、実施の形態Ａ−１に対し、ＵＲＬではなく、アドレスのユニークキーを送信する。
【００８３】
Ｓ２０２：放送
（Ｂ−１と同様）
Ｓ２０３：検出日時付加
（Ｂ−１と同様）
【００８４】
Ｓ２０４ａ：ＵＲＬ取得・視聴ログ蓄積
付帯情報内には、ＵＲＬではなく、アドレスのユニークキーが記載されている。このユニークキーをＵＲＬに変換するために、受像機は、デフォルトのサーバ（ネームサーバ）に対し、ユニークキーを送信する。
ネームサーバは、図１４（Ａ）のような、ユニークキーと該当するＵＲＬを保持するテーブルを持っている。ネームサーバは、受像機からのユニークキーの問合せに対し、ユニークキーに該当するＵＲＬを受像機に返却する。受像機は、ネームサーバから、送信したユニークキーに対応したＵＲＬを受信し、取得したＵＲＬを蓄積部に記憶する。
また、受像機は、検出した付帯情報に、受像機ＩＤ、検出日時、個人識別情報、ＧＰＳ情報を付加して視聴ログを作成し、この視聴ログを蓄積部に記憶する。ログフォーマットは、図９（Ａ）参照。
【００８５】
Ｓ２０５：視聴ログ収集
（Ｂ−１と同様）
Ｓ２０６：付帯情報送信
（Ｂ−１と同様）
Ｓ２０７：通信ログ送信
（Ｂ−１と同様）
Ｓ２０８：ＵＲＬ取得・追加情報取得要求
（Ｂ−１と同様）
Ｓ２０９：追加情報
（Ｂ−１と同様）
Ｓ２１０：モバイル端末での閲覧
（Ｂ−１と同様）
Ｓ２１１：接触ログ
（Ｂ−１と同様）
Ｓ２１２：測定サーバによる接触ログ
（Ｂ−１と同様）
【００８６】
Ｂ−３．テレビで日時、局、ｃｈＩＤをＵＲＬに変換し、モバイル端末が追加情報を取りに行くパターン
図６に、データ表示・調査システムの第２の実施の形態（Ｂ−３）の説明図を示す。本実施の形態では、図１３に示したシステム（２）を用いる。
以下に、動作シーケンスを各ステップについて説明する。
【００８７】
Ｓ２０１ｂ：付帯情報
放送局は、付帯情報付加部で、付帯情報を生成して、放送信号に付加する。ここでは、付帯情報は、一例として、放送日時、放送局ＩＤ、チャンネルＩＤ、特典フラグを含むものとする。本実施の形態では、実施の形態Ａ−１やＡ−２に対し、ＵＲＬや、アドレスのユニークキーを付さない。
【００８８】
Ｓ２０２：放送
（Ｂ−１と同様）
Ｓ２０３：検出日時付加
（Ｂ−１と同様）
Ｓ２０４ｂ：ＵＲＬ取得・視聴ログ蓄積
付帯情報内には、ＵＲＬや、アドレスのユニークキーは記載されていないが、ウェブサイトのＵＲＬを取得するために、デフォルトのサーバ（ネームサーバ）に対し、放送日時、局ＩＤ、ｃｈＩＤを送信する。
ネームサーバは、図１４（Ｂ）のような放送日時、局ＩＤ、ｃｈＩＤと該当するＵＲＬを保持するテーブルを持っている。ネームサーバは、受像機からの放送日時、局ＩＤ、ｃｈＩＤの問合せに対し、それに該当するＵＲＬを受像機に返却する。
受像機は、ネームサーバから、送信した放送日時、局ＩＤ、ｃｈＩＤに対応したＵＲＬを受信し、取得したＵＲＬを蓄積部に記憶する。
また、受像機は、検出した付帯情報に、受像機ＩＤ、検出日時、個人識別情報、ＧＰＳ情報を付加して視聴ログを作成し、この視聴ログを蓄積部に記憶する。ログフォーマットは、図９（Ａ）参照。
【００８９】
Ｓ２０５：視聴ログ収集
（Ｂ−１と同様）
Ｓ２０６：付帯情報送信
（Ｂ−１と同様）
Ｓ２０７：通信ログ送信
（Ｂ−１と同様）
Ｓ２０８：ＵＲＬ取得・追加情報取得要求
（Ｂ−１と同様）
Ｓ２０９：追加情報
（Ｂ−１と同様）
Ｓ２１０：モバイル端末での閲覧
（Ｂ−１と同様）
Ｓ２１１：接触ログ
（Ｂ−１と同様）
Ｓ２１２：測定サーバによる接触ログ
（Ｂ−１と同様）
【００９０】
Ｃ．第３の実施の形態
Ｃ−１．モバイル端末でユニークキーをＵＲＬに変換し、モバイル端末が追加情報を取りに行くパターン
図７に、データ表示・調査システムの第３の実施の形態（Ｃ−１）の説明図を示す。本実施の形態では、図１５に示したシステム（３）を用いる。
以下に、動作シーケンスを各ステップについて説明する。
【００９１】
Ｓ３０１ａ：付帯情報
放送局は、付帯情報付加部で、付帯情報を生成して、放送信号に付加する。ここでは、付帯情報は、一例として、放送日時、放送局ＩＤ、チャンネルＩＤ、特典フラグ、アドレスのユニークキーを含むものとする。
【００９２】
Ｓ３０２：放送
放送局は、放送信号とともに付帯情報を放送する。放送局から、音声透かし、映像透かし、データ放送または、補助帯域、アンシラリデータなどにより、受像機に付帯情報が渡される。または、フィンガープリントなど、放送日時、放送局、チャンネルが特定できうるに十分の情報が送られればよい。
【００９３】
Ｓ３０３：検出日時付加
受像機は、放送局で埋めこんだ付帯情報を検出する検出機能を備える。受像機は、視聴しているチャンネルから、付帯情報を検出する。また、受像機は、検出時に、検出日時を付加する。受像機に内蔵された検出機能により、受像機等の設定・環境に依存してしまうチューニング情報の検出のような仕組みよりも、より正確な視聴チャンネル判定を行うことができる。検出された付帯情報は、のちのステップで、ログとして収集される。
また、受像機は、個人識別機能を有することができる。個人識別機能は、ボタンやリモコンにあってもよい。また、リモコンは、モバイル端末と一体でもよい。個人識別機能は、放送を見ている視聴者を特定する。
さらにまた、受像機は、受像機ＩＤとＧＰＳ機能を保持することができる。受像機ＩＤは、受像機にユニークなＩＤである。ＧＰＳ機能は、受像機のある位置情報を取得できる。
【００９４】
Ｓ３０４：視聴ログ蓄積
受像機は、検出した付帯情報に、受像機ＩＤ、検出日時、個人識別情報、ＧＰＳ情報を付加して視聴ログを作成し、この視聴ログを蓄積部に記憶する。ログフォーマットは、図９（Ａ）参照。
【００９５】
Ｓ３０５：視聴ログ収集
受像機は、視聴ログを蓄積部から読み出し、サーバ通信部を介して、あらかじめ決められたデータ収集サーバに送る。
データ収集サーバは、視聴ログを受信し、ロギングし、適宜のログ記憶部に記憶する。ログフォーマットは、図９（Ａ）参照。視聴データは、視聴解析に利用できる。
【００９６】
Ｓ３０６：付帯情報送信
受像機は、最小限、ユニークキーを、自動により、または、モバイル端末からの問合せにより、ＩＰ、Ｂｌｕｅｔｏｏｔｈ（登録商標）、赤外線などの適宜の通信手段にて、モバイル端末に送信する。このとき、ユニークキーに加え、他の付帯情報、検出日時、個人識別、受像機ＩＤ、ＧＰＳ情報等の適宜の情報を送信することができる。自動で転送する場合は、あらかじめ、受像機にモバイル端末の送信先を登録しておく。
このように、本実施の形態では、モバイル端末では、二次元コードの撮影や、検索キーワードをモバイル端末に入力して検索作業をする必要はなく、簡単なアクションで、追加情報を取得できる。また、放送局は、モバイル端末に、例えば、テレビ番組で取り上げられたお店や商品の情報等の追加情報をプッシュすることができる。さらに、モバイル端末は外に持ち出すことができる。
【００９７】
Ｓ３０７：通信ログ送信
受像機は、モバイル端末との通信ログを生成し、蓄積部に保存する。ログイメージは、図９（Ｂ）参照。また、受像機は、データ収集サーバと通信し、通信ログを送信する。通信ログとして、例えば、受像機ＩＤ、検出日時、個人識別情報、ＧＰＳ情報、付帯情報を含む視聴ログに加え、モバイル端末との通信日時、モバイル端末の端末ＩＤを含む。通信ログは、様々なログの解析に利用できる。
データ収集サーバは、通信ログを収集して、ログ記憶部に記憶する。ログイメージは、図９（Ｂ）参照。
【００９８】
Ｓ３０８：ＵＲＬ取得
付帯情報内には、ＵＲＬではなく、アドレスのユニークキーが記載されている。このユニークキーをＵＲＬに変換するために、モバイル端末は、デフォルトのサーバ（ネームサーバ）に対し、ユニークキーを送信する。
ネームサーバは、図１４（Ａ）のような、ユニークキーと該当するＵＲＬを保持するテーブルを持っている。ネームサーバは、モバイル端末からのユニークキーの問合せに対し、ユニークキーに該当するＵＲＬをモバイル端末に返却する。
モバイル端末は、ネームサーバから、送信したユニークキーに対応したＵＲＬを受信し、取得したＵＲＬを蓄積部に記憶する。
【００９９】
Ｓ３０９：追加情報取得要求
モバイル端末は、取得したＵＲＬのウェブサイトに、追加情報取得要求をする。ここでは、最小限、付帯情報中のＵＲＬを用いて、該当するウェブサイトにアクセスする。なお、追加情報取得要求時に、付帯情報中の他の情報、検出日時、個人識別、受像機ＩＤ、ＧＰＳ情報、モバイル端末の端末ＩＤ等の適宜の情報も送信することができる。
【０１００】
Ｓ３１０：追加情報
ウェブサイトは、ＵＲＬによって特定され、モバイル端末からの追加情報取得要求に対し、追加情報を返送する。追加情報は、予め定められた情報でもよいし、追加情報取得要求に対応した情報でもよい。なお、モバイル端末からの追加情報取得要求時に、付帯情報、検出日時、個人識別、受像機ＩＤ、ＧＰＳ情報、端末ＩＤ等の適宜の情報が送信された場合、ウェブサイトでは、それらの情報を元に、返送する追加情報に改変を加えることも可能である。
図１２に追加情報記憶部の説明図を示す。追加情報としては、例えば、番組・ＣＭ出演者情報、場所、商品、サービス、クーポン、ネットショッピングサイトなどがある。例えば、追加情報記憶部に、放送日時、放送局、チャンネル等の付帯情報の一部又は全部に対応して、どの番組（またはＣＭ）が視聴されたかを特定して追加情報を含めたり、関連した情報（ウェブページ）を追加情報に含めて記憶しておく。ウェブサイトは、追加情報取得要求に従い、この追加情報記憶部を参照して、所定の追加情報を取得し、モバイル端末に返す。
【０１０１】
Ｓ３１１：モバイル端末での閲覧
追加情報は、モバイル端末の表示部で表示して、閲覧することができる。また、モバイル端末は、追加情報又は付帯情報内のリンク、ＵＲＬ等により、ウェブサイトにモバイル端末からアクセスすることも可能である。
モバイル端末は、追加情報を表示した場合、接触ログを生成し、蓄積部に記憶し、さらに、データ収集サーバに通知する。接触ログとして、最小限、モバイル端末ＩＤ（ＵＩＤ：端末固有の識別ＩＤ、）接触日時、ＵＲＬを含む。さらに、モバイル端末は、自端末のＧＰＳ位置情報（モバイルＧＰＳ情報）を保持し、接触ログに付加することができる。ＧＰＳ位置情報とは、モバイル端末の地理情報位置を示す情報である。ログフォーマットは、図９（Ｃ）「接触ログ（パターン１）」参照。接触ログには他にも、受像機からモバイル端末に送信された場合、付帯情報、検出日時、個人識別、受像機ＩＤ、（受像機）ＧＰＳ情報等も含むことができ、解析に利用できる。ログフォーマットは、図９（Ｄ）「接触ログ（パターン２）」参照。
【０１０２】
Ｓ３１２：接触ログ
データ収集サーバは、モバイル端末から、自動又はデータ収集サーバからの問合せ等により、接触ログを収集し、ログ記憶部に記憶する。データ収集サーバでは、接触ログを接触調査等に利用することができる。ログフォーマットは、図９（Ｃ）又は（Ｄ）参照。
【０１０３】
Ｓ３１３：測定サーバによる接触ログ
図１０に、測定サーバによる接触ログのロギングについての説明図を示す。
なお、ウェブサイト表示やリンクをたどることによるウェブサイト表示において、ウェブサイトには接触ログの収集のためのタグを埋め込むことができ、このタグは、測定サーバにアクセスし、モバイル端末でのさらなる情報の広がりを測定することができる。測定サーバは、モバイル端末から、自動又は測定サーバからの問合せ等により、接触ログを収集し、ログ記憶部に記憶する。（なお、後述の「５．測定サーバでのロギング」参照。）
【０１０４】
Ｃ−２．モバイル端末で、日時、局、ｃｈＩＤをＵＲＬに変換し、モバイル端末が追加情報を取りに行くパターン
図８に、データ表示・調査システムの第３の実施の形態（Ｃ−２）の説明図を示す。本実施の形態では、図１５に示したシステム（３）を用いる。
以下に、動作シーケンスを各ステップについて説明する。
【０１０５】
Ｓ３０１ｂ：付帯情報
放送局は、付帯情報付加部で、付帯情報を生成して、放送信号に付加する。ここでは、付帯情報は、一例として、放送日時、放送局ＩＤ、チャンネルＩＤ、特典フラグを含むものとする。本実施の形態では、実施の形態Ｃ−１に対し、アドレスのユニークキーを付さない。
【０１０６】
Ｓ３０２：放送
（Ｃ−１と同様）
Ｓ３０３：検出日時付加
（Ｃ−１と同様）
Ｓ３０４：視聴ログ蓄積
（Ｃ−１と同様）
Ｓ３０５：視聴ログ収集
（Ｃ−１と同様）
【０１０７】
Ｓ３０６ｂ：付帯情報送信
受像機は、最小限、放送日時、放送局ＩＤ、チャンネルＩＤを、自動により、または、モバイル端末からの問合せにより、ＩＰ、Ｂｌｕｅｔｏｏｔｈ（登録商標）、赤外線などの適宜の通信手段にて、モバイル端末に送信する。このとき、放送日時、放送局ＩＤ、チャンネルＩＤに加え、他の付帯情報、検出日時、個人識別、受像機ＩＤ、ＧＰＳ情報等の適宜の情報を送信することができる。自動で転送する場合は、あらかじめ、受像機にモバイル端末の送信先を登録しておく。
このように、本実施の形態では、モバイル端末では、二次元コードの撮影や、検索キーワードをモバイル端末に入力して検索作業をする必要はなく、簡単なアクションで、追加情報を取得できる。また、放送局は、モバイル端末に、例えば、テレビ番組で取り上げられたお店や商品の情報等の追加情報をプッシュすることができる。さらに、モバイル端末は外に持ち出すことができる。
Ｓ３０７：通信ログ送信
【０１０８】
Ｓ３０８ｂ：ＵＲＬ取得
付帯情報内には、ＵＲＬや、アドレスのユニークキーは記載されていないが、ウェブサイトのＵＲＬを取得するために、デフォルトのサーバ（ネームサーバ）に対し、放送日時、局ＩＤ、ｃｈＩＤを送信する。
ネームサーバは、図１４（Ｂ）のような放送日時、局ＩＤ、ｃｈＩＤと該当するＵＲＬを保持するテーブルを持っている。ネームサーバは、モバイル端末からの放送日時、局ＩＤ、ｃｈＩＤの問合せに対し、それに該当するＵＲＬをモバイル端末に返却する。
モバイル端末は、ネームサーバから、送信した放送日時、局ＩＤ、ｃｈＩＤに対応したＵＲＬを受信し、取得したＵＲＬを蓄積部に記憶する。
【０１０９】
Ｓ３０９：追加情報取得要求
（Ｃ−１と同様）
Ｓ３１０：追加情報
（Ｃ−１と同様）
Ｓ３１１：モバイル端末での閲覧
（Ｃ−１と同様）
Ｓ３１２：接触ログ
（Ｃ−１と同様）
Ｓ３１３：測定サーバによる接触ログ
（Ｃ−１と同様）
【０１１０】
４．特典フラグ
上述した各実施の形態において、特典フラグは、受像機またはモバイル端末からのネームサーバ、またはウェブサイトへの問合せ、あるいは、受像機端末通信部における、モバイル端末への付加情報等送信要否の判定に使用することができる。この機能により、視聴ログを常に取り続けつつ、モバイル端末への情報の流れについて、要不要を設定することが可能となる。モバイル端末への情報の流れを意図しない場合に、特典フラグをＯＦＦにセットし、モバイル端末への情報の流れを起こさせず、かつ、視聴ログの取得を継続することが可能である。
【０１１１】
特典フラグは、例えば、各フロー（各ステップ）において次のように用いることができる。他にも適宜特典フラグを用いて処理を行うようにしてもよい。
・受像機における、ウェブサイト問合せの要否（フロー図１、図２、図３  Ｓ１０６）
・受像機における、ネームサーバ、ウェブサイト問合せの要否（フロー図２  Ｓ１０５a、Ｓ１０６、図３  Ｓ１０５ｂ、Ｓ１０６）
・受像機における、モバイル端末へのＵＲＬ等送信の要否（フロー図４  Ｓ２０６）
・受像機における、ネームサーバへの問合せ、モバイル端末へのユニークキー、放送日時・放送局ＩＤ等送信の要否（フロー図５  Ｓ２０４ａ、Ｓ２０６、図６  Ｓ２０４ｂ、Ｓ２０６）
・受像機における、モバイル端末へのユニークキー等送信の要否（フロー図７  Ｓ３０６）
・受像機における、モバイル端末への放送日時・放送局ＩＤ等送信の要否（フロー図８  Ｓ３０６ｂ）
【０１１２】
５．測定サーバでのロギング
上述した各実施の形態において、各パターンの処理では、ウェブサイトを特定するＵＲＬには、端末へ送信するウェブページに所定のタグを埋め込むことができる。以下で詳述するように、このタグにより、接触ログのロギングが可能となる。埋め込まれたタグは、測定サーバにて測定される。
測定サーバによる接触ログのロギングは、次のように処理が実行される。
（１）放送局・ネームサーバ・受像機等は、ＵＲＬを特定する際、ＵＲＬ（ウェブページ）に、ログを測定するための測定サーバにアクセスするためのタグを埋めこむ。
（２）このタグにより、測定サーバでは、端末で表示したかどうかを測定が可能となる。なお、タグに含まれるものは、例えば、測定サーバにあるタグのアドレス、タグファイル名とすることができる。
（３）端末で、上述のように、ウェブページを表示すると、それを契機に、端末は、タグが示す測定サーバにも、アクセスする。
【０１１３】
ここで、端末から送信されるデータは、例えば、以下の通りである。
・ユーザ識別子（ＵＩＤ）
・端末の、または、端末が属するグローバルＩＰアドレス
・ウェブページアドレス（サフィックス付）
など。
（４）測定サーバで接触ログとしてロギングするもの（接触ログに含まれるもの）は、例えば、以下の通りである。
・ユーザ識別子（ＵＩＤ）
・グローバルＩＰアドレス
・タグのアドレス、タグファイル名
・ウェブページアドレス（サフィックス付）
・ロギング日時
・サーバでの透かし問合せ時の問合せ日時、
・放送日時／局ＩＤ／チャンネルＩＤ（ｃｈ  ＩＤ）
など。
なお、作成された各種ログは、適宜のログ記憶部に記憶される。
【０１１４】
６．追記
・上述のように、本発明及び本実施の形態では、テレビを起点としたセカンドスクリーン連携での新たな視聴形態において、テレビの視聴測定、モバイル端末への情報の流れの有無、モバイル端末での情報接触、すなわちテレビからの拡がりを、合わせ技で、シングルソースで、測定することが可能となる。その効用として、広告や番組の効果の測定を行うことができ、テレビの新しい使い方を提供するとともに、調査手法を確立し、拡がりを測定することにより、コンテンツのパワーを向上させることに寄与する。
７．構成例
［構成例１］
放送局、受信機、端末、ウェブサイトを備えたデータ表示システムにおいて、
放送局は、放送信号に、放送日時、放送局ＩＤを含む付帯情報を付加して放送し、
受信機は、放送局からの放送信号から付帯情報を検出し、該付帯情報により特定されるＵＲＬのウェブサイトに追加情報取得要求を送信し、
ウェブサイトは、受信機から受信した追加情報取得要求に対する予め定められた追加情報を求め、該追加情報を受信機に返答し、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末は、受信機から追加情報を受信し、該追加情報を表示部に可聴又は可視表示する
データ表示システム。
［構成例２］
放送局、受信機、端末、ウェブサイト、データ収集サーバを備えた調査システムにおいて、
放送局は、放送信号に、放送日時、放送局ＩＤを含む付帯情報を付加して放送し、
受信機は、放送局からの放送信号から付帯情報を検出し、該付帯情報により特定されるＵＲＬのウェブサイトに追加情報取得要求を送信し、
ウェブサイトは、受信機から受信した追加情報取得要求に対する予め定められた追加情報を求め、該追加情報を受信機に返答し、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末は、受信機から追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査システム。
［構成例３］
前記付帯情報は、ＵＲＬを含み、
受信機は、該ＵＲＬにより特定されるウェブサイトに追加情報取得要求を送信する
ことを特徴とする構成例１に記載のデータ表示システム、又は、構成例２に記載の調査システム。
［構成例４］
ＵＲＬを特定するユニークキーに対してＵＲＬを記憶したネームサーバ記憶部を有するネームサーバをさらに備え、
前記付帯情報は、ＵＲＬを特定するユニークキーを含み、
受信機は、ネームサーバに該ユニークキーを送信し、
ネームサーバは、前記ネームサーバ記憶部を参照して、ユニークキーに従いＵＲＬを求めて、該ＵＲＬを受信機に返送し、
受信機は、受信した該ＵＲＬにより特定されるウェブサイトに追加情報取得要求を送信する
ことを特徴とする構成例１に記載のデータ表示システム、又は、構成例２に記載の調査システム。
［構成例５］
放送日時、放送局ＩＤに対してＵＲＬを記憶したネームサーバ記憶部を有するネームサーバをさらに備え、
受信機は、ネームサーバに、付帯情報に含まれる、放送日時、放送局ＩＤを送信し、
ネームサーバは、前記ネームサーバ記憶部を参照して、放送日時、放送局ＩＤに従いＵＲＬを求めて、該ＵＲＬを受信機に返送し、
受信機は、受信した該ＵＲＬにより特定されるウェブサイトに追加情報取得要求を送信すること
ことを特徴とする構成例１に記載のデータ表示システム、又は、構成例２に記載の調査システム。
［構成例６］
放送局、受信機、端末、ウェブサイトを備えたデータ表示システムにおいて、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報により特定されるＵＲＬを端末に送信し、
端末は、受信機から該ＵＲＬを受信し、該ＵＲＬのウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示する
データ表示システム。
［構成例７］
放送局、受信機、端末、ウェブサイト、データ収集サーバを備えた調査システムにおいて、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報により特定されるＵＲＬを端末に送信し、
端末は、受信機から該ＵＲＬを受信し、該ＵＲＬのウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査システム。
［構成例８］
前記付帯情報は、ＵＲＬを含み、
受信機は、該ＵＲＬを端末に送信する
ことを特徴とする構成例６に記載のデータ表示システム、又は、構成例７に記載の調査システム。
［構成例９］]
ＵＲＬを特定するユニークキーに対してＵＲＬを記憶したネームサーバ記憶部を有するネームサーバをさらに備え、
前記付帯情報は、ＵＲＬを特定するユニークキーを含み、
受信機は、ネームサーバに該ユニークキーを送信し、
ネームサーバは、前記ネームサーバ記憶部を参照して、ユニークキーに従いＵＲＬを求めて、該ＵＲＬを受信機に返送し、
受信機は、ネームサーバから受信した該ＵＲＬを、端末に送信する
ことを特徴とする構成例６に記載のデータ表示システム、又は、構成例７に記載の調査システム。
［構成例１０］
放送日時、放送局ＩＤに対してＵＲＬを記憶したネームサーバ記憶部を有するネームサーバをさらに備え、
受信機は、ネームサーバに、付帯情報に含まれる、放送日時、放送局ＩＤを送信し、
ネームサーバは、前記ネームサーバ記憶部を参照して、放送日時、放送局ＩＤに従いＵＲＬを求めて、該ＵＲＬを受信機に返送し、
受信機は、ネームサーバから受信した該ＵＲＬを、端末に送信する
ことを特徴とする構成例６に記載のデータ表示システム、又は、構成例７に記載の調査システム。
［構成例１１］
放送局、受信機、端末、ウェブサイトを備えたデータ表示システムにおいて、
ＵＲＬを特定するための情報に対してＵＲＬを記憶したネームサーバ記憶部を有するネームサーバをさらに備え、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報に含まれるＵＲＬを特定するための情報を端末に送信し、
端末は、受信機から該ＵＲＬを特定するための情報を受信し、ネームサーバに該ＵＲＬを特定するための情報を送信し、
ネームサーバは、前記ネームサーバ記憶部を参照して、前記ＵＲＬを特定するための情報に従いＵＲＬを求めて、該ＵＲＬを端末に返送し、
端末は、受信した該ＵＲＬにより特定されるウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示する
データ表示システム。
［構成例１２］
放送局、受信機、端末、ウェブサイト、データ収集サーバを備えた調査システムにおいて、
ＵＲＬを特定するための情報に対してＵＲＬを記憶したネームサーバ記憶部を有するネームサーバをさらに備え、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報に含まれるＵＲＬを特定するための情報を端末に送信し、
端末は、受信機から該ＵＲＬを特定するための情報を受信し、ネームサーバに該ＵＲＬを特定するための情報を送信し、
ネームサーバは、前記ネームサーバ記憶部を参照して、前記ＵＲＬを特定するための情報に従いＵＲＬを求めて、該ＵＲＬを端末に返送し、
端末は、受信した該ＵＲＬにより特定されるウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査システム。
［構成例１３］
ネームサーバは、ＵＲＬを特定するユニークキーに対してＵＲＬを記憶し、
前記付帯情報は、ＵＲＬを特定するユニークキーを含み、
端末は、ネームサーバに該ユニークキーを送信し、
ネームサーバは、前記ネームサーバ記憶部を参照して、ユニークキーに従いＵＲＬを求めて、該ＵＲＬを端末に返送し、
端末は、受信した該ＵＲＬにより特定されるウェブサイトに追加情報取得要求を送信する
ことを特徴とする構成例１１に記載のデータ表示システム、又は、構成例１２に記載の調査システム。
［構成例１４］
ネームサーバは、放送日時、放送局ＩＤに対してＵＲＬを記憶し、
端末は、ネームサーバに、付帯情報に含まれる、放送日時、放送局ＩＤを送信し、
ネームサーバは、前記ネームサーバ記憶部を参照して、放送日時、放送局ＩＤに従いＵＲＬを求めて、該ＵＲＬを端末に返送し、
端末は、受信した該ＵＲＬにより特定されるウェブサイトに追加情報取得要求を送信すること
ことを特徴とする構成例１１に記載のデータ表示システム、又は、構成例１２に記載の調査システム。
［構成例１５］
追加情報取得要求は、付帯情報を含み、
ウェブサイトは、
付帯情報に対して、番組又はＣＭに対する関連する追加情報を記憶したウェブサイト記憶部を備え、
ウェブサイト記憶部を参照して、受信した追加情報取得要求の付帯情報に従い追加情報を求める
ことを特徴とする構成例１、６、１１のいずれかに記載のデータ表示システム、又は、構成例２、７、１２のいずれかに記載の調査システム。
［構成例１６］
ウェブサイトは、受信機に設定され視聴者を特定する個人識別情報、及び／又は、受信機若しくは端末の位置情報に従い、追加情報を求めることを特徴とする構成例１５に記載のデータ表示システム又は構成例１５に記載の調査システム。
［構成例１７］
前記追加情報は、ウェブページ、番組・ＣＭ出演者情報、場所、商品、サービス、クーポン、ネットショッピングサイトのいずれかひとつ又は複数を含むことを特徴とする構成例１５又は１６に記載のデータ表示システム又は構成例１５又は１６に記載の調査システム。
［構成例１８］
放送局は、付帯情報に、さらにフラグを埋めこみ、
受信機は、前記フラグにしたがって、ネームサーバへの問合せ、及び／又は、ウェブサイトへの問合せの要否を判断し、その判断結果に従い処理を実行することを特徴とする構成例１、６、１１のいずれかに記載のデータ表示システム、又は、構成例２、７、１２のいずれかに記載の調査システム。
［構成例１９］
放送局は、付帯情報に、さらにフラグを埋めこみ、
受信機は、前記フラグにしたがって、ネームサーバへの問合せ、及び／又は、モバイル端末への付帯情報の送信の要否を判断し、その判断結果に従い処理を実行することを特徴とする構成例１、６、１１のいずれかに記載のデータ表示システム、又は、構成例２、７、１２のいずれかに記載の調査システム。
［構成例２０］]
放送局は、付帯情報に、さらにフラグを埋めこみ、
受信機は、前記フラグにしたがって、モバイル端末への付帯情報の送信の要否を判断し、その判断結果に従い処理を実行することを特徴とする構成例１、６、１１のいずれかに記載のデータ表示システム、又は、構成例２、７、１２のいずれかに記載の調査システム。
［構成例２１］
端末は、追加情報に接触して受信及び表示すると、端末ＩＤ、追加情報に接触又は表示した日時、ＵＲＬを含む接触ログを作成し、端末蓄積部へ記憶し、
端末は、データ収集サーバに対し、接触ログを送信し、
データ収集サーバは、接触ログをデータ収集サーバ記憶部に記憶する
ことを特徴とする構成例２、７、１２のいずれかに記載の調査システム。
［構成例２２］
受信機は、受信機ＩＤ、付帯情報の検出日時、付帯情報を含む視聴ログを作成し、蓄積部に、視聴ログを記憶し、
受信機は、データ収集サーバに対し、視聴ログを送信し、
データ収集サーバは、視聴ログをデータ収集サーバ記憶部に記憶する
ことを特徴とする構成例２、７、１２のいずれかに記載の調査システム。
［構成例２３］
前記視聴ログは、さらに、受信機に設定され視聴者を特定する個人識別情報、及び／又は、受信機位置情報を含むことを特徴とする構成例２２に記載の調査システム。
［構成例２４］
受信機は、追加情報を端末に送信すると、受信機ＩＤ、付帯情報の検出日時、付帯情報と、端末への通信日時、端末ＩＤを含む通信ログを作成し、データ収集サーバに対し、該通信ログを送信し、
データ収集サーバは、通信ログをデータ収集サーバ記憶部に記憶する
ことを特徴とする構成例２、７、１２のいずれかに記載の調査システム。
［構成例２５］
さらに、アクセスについてのログを作成するための測定用サーバを備え、
ＵＲＬ又は追加情報によるウェブサイト表示において、ＵＲＬ又は追加情報に接触ログの収集のためのタグを埋め込み、
端末は、ＵＲＬ又は追加情報によるウェブサイト表示において、埋め込まれたタグにより測定サーバにアクセスし、
測定サーバは、端末のアクセスについての接触ログを端末から受信し、接触ログをログ記憶部に記憶する
ことを特徴とする構成例２、７、１２のいずれかに記載の調査システム。
［構成例２６］
放送局、受信機、端末、ウェブサイトを備えたデータ表示システムにおけるデータ表示方法において、
放送局は、放送信号に、放送日時、放送局ＩＤを含む付帯情報を付加して放送し、
受信機は、放送局からの放送信号から付帯情報を検出し、該付帯情報により特定されるＵＲＬのウェブサイトに追加情報取得要求を送信し、
ウェブサイトは、受信機から受信した追加情報取得要求に対する予め定められた追加情報を求め、該追加情報を受信機に返答し、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末は、受信機から追加情報を受信し、該追加情報を表示部に可聴又は可視表示する
データ表示方法。
［構成例２７］]
放送局、受信機、端末、ウェブサイト、データ収集サーバを備えた調査システムにおける調査方法において、
放送局は、放送信号に、放送日時、放送局ＩＤを含む付帯情報を付加して放送し、
受信機は、放送局からの放送信号から付帯情報を検出し、該付帯情報により特定されるＵＲＬのウェブサイトに追加情報取得要求を送信し、
ウェブサイトは、受信機から受信した追加情報取得要求に対する予め定められた追加情報を求め、該追加情報を受信機に返答し、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末は、受信機から追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査方法。
［構成例２８］
前記付帯情報は、ＵＲＬを含み、
受信機は、該ＵＲＬにより特定されるウェブサイトに追加情報取得要求を送信する
ことを特徴とする構成例２６に記載のデータ表示方法、又は、構成例２７に記載の調査方法。
［構成例２９］
ＵＲＬを特定するユニークキーに対してＵＲＬを記憶したネームサーバ記憶部を有するネームサーバをさらに備え、
前記付帯情報は、ＵＲＬを特定するユニークキーを含み、
受信機は、ネームサーバに該ユニークキーを送信し、
ネームサーバは、前記ネームサーバ記憶部を参照して、ユニークキーに従いＵＲＬを求めて、該ＵＲＬを受信機に返送し、
受信機は、受信した該ＵＲＬにより特定されるウェブサイトに追加情報取得要求を送信する
ことを特徴とする構成例２６に記載のデータ表示方法、又は、構成例２７に記載の調査方法。
［構成例３０］
放送日時、放送局ＩＤに対してＵＲＬを記憶したネームサーバ記憶部を有するネームサーバをさらに備え、
受信機は、ネームサーバに、付帯情報に含まれる、放送日時、放送局ＩＤを送信し、
ネームサーバは、前記ネームサーバ記憶部を参照して、放送日時、放送局ＩＤに従いＵＲＬを求めて、該ＵＲＬを受信機に返送し、
受信機は、受信した該ＵＲＬにより特定されるウェブサイトに追加情報取得要求を送信すること
ことを特徴とする構成例２６に記載のデータ表示方法、又は、構成例２７に記載の調査方法。
［構成例３１］
放送局、受信機、端末、ウェブサイトを備えたデータ表示システムにおけるデータ表示方法において、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報により特定されるＵＲＬを端末に送信し、
端末は、受信機から該ＵＲＬを受信し、該ＵＲＬのウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示する
データ表示方法。
［構成例３２］
放送局、受信機、端末、ウェブサイト、データ収集サーバを備えた調査システムにおける調査方法において、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報により特定されるＵＲＬを端末に送信し、
端末は、受信機から該ＵＲＬを受信し、該ＵＲＬのウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査方法。
［構成例３３］
前記付帯情報は、ＵＲＬを含み、
受信機は、該ＵＲＬを端末に送信する
ことを特徴とする構成例３１に記載のデータ表示方法、又は、構成例３２に記載の調査方法。
［構成例３４］
ＵＲＬを特定するユニークキーに対してＵＲＬを記憶したネームサーバ記憶部を有するネームサーバをさらに備え、
前記付帯情報は、ＵＲＬを特定するユニークキーを含み、
受信機は、ネームサーバに該ユニークキーを送信し、
ネームサーバは、前記ネームサーバ記憶部を参照して、ユニークキーに従いＵＲＬを求めて、該ＵＲＬを受信機に返送し、
受信機は、ネームサーバから受信した該ＵＲＬを、端末に送信する
ことを特徴とする構成例３１に記載のデータ表示方法、又は、構成例３２に記載の調査方法。
［構成例３５］
放送日時、放送局ＩＤに対してＵＲＬを記憶したネームサーバ記憶部を有するネームサーバをさらに備え、
受信機は、ネームサーバに、付帯情報に含まれる、放送日時、放送局ＩＤを送信し、
ネームサーバは、前記ネームサーバ記憶部を参照して、放送日時、放送局ＩＤに従いＵＲＬを求めて、該ＵＲＬを受信機に返送し、
受信機は、ネームサーバから受信した該ＵＲＬを、端末に送信する
ことを特徴とする構成例３１に記載のデータ表示方法、又は、構成例３２に記載の調査方法。
［構成例３６］
放送局、受信機、端末、ウェブサイトを備えたデータ表示システムにおけるデータ表示方法において、
ＵＲＬを特定するための情報に対してＵＲＬを記憶したネームサーバ記憶部を有するネームサーバをさらに備え、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報に含まれるＵＲＬを特定するための情報を端末に送信し、
端末は、受信機から該ＵＲＬを特定するための情報を受信し、ネームサーバに該ＵＲＬを特定するための情報を送信し、
ネームサーバは、前記ネームサーバ記憶部を参照して、前記ＵＲＬを特定するための情報に従いＵＲＬを求めて、該ＵＲＬを端末に返送し、
端末は、受信した該ＵＲＬにより特定されるウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示する
データ表示方法。
［構成例３７］
放送局、受信機、端末、ウェブサイト、データ収集サーバを備えた調査システムにおける調査方法において、
ＵＲＬを特定するための情報に対してＵＲＬを記憶したネームサーバ記憶部を有するネームサーバをさらに備え、
放送局は、放送信号に、放送日時、放送局ＩＤを含む付帯情報を付加して放送し、
受信機は、放送局からの放送信号から付帯情報を検出し、該付帯情報を蓄積部に蓄積し、該付帯情報に含まれるＵＲＬを特定するための情報を端末に送信し、
端末は、受信機から該ＵＲＬを特定するための情報を受信し、ネームサーバに該ＵＲＬを特定するための情報を送信し、
ネームサーバは、前記ネームサーバ記憶部を参照して、前記ＵＲＬを特定するための情報に従いＵＲＬを求めて、該ＵＲＬを端末に返送し、
端末は、受信した該ＵＲＬにより特定されるウェブサイトに追加情報取得要求を送信し、
ウェブサイトは、端末から受信した追加情報取得要求に対する予め定められた追加情報を求め、該追加情報を端末に返答し、
端末は、ウェブサイトから追加情報を受信し、該追加情報を表示部に可聴又は可視表示し、
さらに、
端末が追加情報を表示した際のログである接触ログ、及び／又は、受信機が放送信号から検出した際のログである視聴ログを、データ収集サーバ記憶部に記憶する
調査方法。
［構成例３８］
ネームサーバは、ＵＲＬを特定するユニークキーに対してＵＲＬを記憶し、
前記付帯情報は、ＵＲＬを特定するユニークキーを含み、
端末は、ネームサーバに該ユニークキーを送信し、
ネームサーバは、前記ネームサーバ記憶部を参照して、ユニークキーに従いＵＲＬを求めて、該ＵＲＬを端末に返送し、
端末は、受信した該ＵＲＬにより特定されるウェブサイトに追加情報取得要求を送信する
ことを特徴とする構成例３６に記載のデータ表示方法、又は、構成例３７に記載の調査方法。
［構成例３９］
ネームサーバは、放送日時、放送局ＩＤに対してＵＲＬを記憶し、
端末は、ネームサーバに、付帯情報に含まれる、放送日時、放送局ＩＤを送信し、
ネームサーバは、前記ネームサーバ記憶部を参照して、放送日時、放送局ＩＤに従いＵＲＬを求めて、該ＵＲＬを端末に返送し、
端末は、受信した該ＵＲＬにより特定されるウェブサイトに追加情報取得要求を送信すること
ことを特徴とする構成例３６に記載のデータ表示方法、又は、構成例３７に記載の調査方法。
［構成例４０］
放送局、受信機、端末、ウェブサイトを備えたデータ表示システムにおける受信機であって、
放送局が、放送信号に、放送日時、放送局ＩＤを含む付帯情報を付加して放送すると、
受信機は、放送局からの放送信号から付帯情報を検出し、該付帯情報により特定されるＵＲＬのウェブサイトに追加情報取得要求を送信し、
ウェブサイトが、受信機から受信した追加情報取得要求に対する予め定められた追加情報を求め、該追加情報を受信機に返答すると、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末に、受信機から受信した前記追加情報を表示部に可聴又は可視表示させるようにした
受信機。
［構成例４１］
放送局、受信機、端末、ウェブサイトを備えたデータ表示システムにおける受信機であって、
放送局が、放送信号に、放送日時、放送局ＩＤを含む付帯情報を付加して放送すると、
受信機は、放送局からの放送信号から付帯情報を検出し、該付帯情報により特定されるＵＲＬのウェブサイトに追加情報取得要求を送信し、
ウェブサイトが、受信機から受信した追加情報取得要求に対する予め定められた追加情報を求め、該追加情報を受信機に返答すると、
受信機は、ウェブサイトから受信した追加情報を、付帯情報に対応して蓄積部に蓄積し、該追加情報を、予め設定された端末宛てに自動により送信し、又は、端末からの問合せにより該端末へ送信し、
端末に、受信機から受信した前記追加情報を表示部に可聴又は可視表示させるようにし、
さらに、
端末に、追加情報を表示した際のログである接触ログ、及び／又は、受信機が放送信号から検出した際のログである視聴ログを、データ収集サーバ記憶部に記憶させるようにする
受信機。
［構成例４２］
放送局、受信機、端末、ウェブサイトを備えたデータ表示システムにおける端末であって、
受信機が、放送局から放送された放送信号から、放送日時、放送局ＩＤを含む付帯情報を検出し、該付帯情報を蓄積部に蓄積し、該付帯情報により特定されるＵＲＬを端末に送信すると、
端末は、受信機から該ＵＲＬを受信し、該ＵＲＬのウェブサイトに追加情報取得要求を送信し、
ウェブサイトが、端末から受信した追加情報取得要求に対する予め定められた追加情報を求め、該追加情報を端末に返答すると、
端末は、ウェブサイトから追加情報を受信し、該追加情報を表示部に可聴又は可視表示する
端末。
［構成例４３］
放送局、受信機、端末、ウェブサイトを備えたデータ表示システムにおける端末であって、
受信機が、放送局から放送された放送信号から、放送日時、放送局ＩＤを含む付帯情報を検出し、該付帯情報を蓄積部に蓄積し、該付帯情報により特定されるＵＲＬを端末に送信すると、
端末は、受信機から該ＵＲＬを受信し、該ＵＲＬのウェブサイトに追加情報取得要求を送信し、
ウェブサイトが、端末から受信した追加情報取得要求に対する予め定められた追加情報を求め、該追加情報を端末に返答すると、
端末は、ウェブサイトから追加情報を受信し、該追加情報を表示部に可聴又は可視表示し、
さらに、
端末は、追加情報を表示した際のログである接触ログ、及び／又は、受信機が放送信号から検出した際のログである視聴ログを、データ収集サーバ記憶部に記憶する
端末。
［構成例４４］
放送局、受信機、端末、ウェブサイト、ＵＲＬを特定するための情報に対してＵＲＬを記憶したネームサーバ記憶部を有するネームサーバを備えたデータ表示システムにおける端末であって、
受信機が、放送局から放送された放送信号から、放送日時、放送局ＩＤを含む付帯情報を検出し、該付帯情報を蓄積部に蓄積し、該付帯情報に含まれるＵＲＬを特定するための情報を端末に送信すると、
端末は、受信機から該ＵＲＬを特定するための情報を受信し、ネームサーバに該ＵＲＬを特定するための情報を送信し、
ネームサーバが、前記ネームサーバ記憶部を参照して、前記ＵＲＬを特定するための情報に従いＵＲＬを求めて、該ＵＲＬを端末に返送すると、
端末は、受信した該ＵＲＬにより特定されるウェブサイトに追加情報取得要求を送信し、
ウェブサイトが、端末から受信した追加情報取得要求に対する予め定められた追加情報を求め、該追加情報を端末に返答すると、
端末は、ウェブサイトから追加情報を受信し、該追加情報を表示部に可聴又は可視表示する
端末。
［構成例４５］
放送局、受信機、端末、ウェブサイト、ＵＲＬを特定するための情報に対してＵＲＬを記憶したネームサーバ記憶部を有するネームサーバを備えたデータ表示システムにおける端末であって、
受信機が、放送局から放送された放送信号から、放送日時、放送局ＩＤを含む付帯情報を検出し、該付帯情報を蓄積部に蓄積し、該付帯情報に含まれるＵＲＬを特定するための情報を端末に送信すると、
端末は、受信機から該ＵＲＬを特定するための情報を受信し、ネームサーバに該ＵＲＬを特定するための情報を送信し、
ネームサーバが、前記ネームサーバ記憶部を参照して、前記ＵＲＬを特定するための情報に従いＵＲＬを求めて、該ＵＲＬを端末に返送すると、
端末は、受信した該ＵＲＬにより特定されるウェブサイトに追加情報取得要求を送信し、
ウェブサイトが、端末から受信した追加情報取得要求に対する予め定められた追加情報を求め、該追加情報を端末に返答すると、
端末は、ウェブサイトから追加情報を受信し、該追加情報を表示部に可聴又は可視表示し、
さらに、
端末は、追加情報を表示した際のログである接触ログ、及び／又は、受信機が放送信号から検出した際のログである視聴ログを、データ収集サーバ記憶部に記憶する
端末。
［構成例４６］
放送局、受信機、端末、ウェブサイトを備えたデータ表示システムにおける、受信機のデータ表示プログラムであって、
放送局から、放送信号に、放送日時、放送局ＩＤを含む付帯情報を付加して放送されると、受信機の処理部は、放送局からの放送信号から付帯情報を検出し、該付帯情報により特定されるＵＲＬのウェブサイトに追加情報取得要求を送信する手順と、
ウェブサイトが、受信機から受信した追加情報取得要求に対する予め定められた追加情報を求め、ウェブサイトから該追加情報が受信機に返答されると、受信機の処理部は、ウェブサイトから受信した追加情報を、付帯情報に対応して蓄積部に蓄積し、該追加情報を、予め設定された端末宛てに自動により送信し、又は、端末からの問合せにより該端末へ送信し、端末に、受信機から受信した前記追加情報を表示部に可聴又は可視表示させるための手順と、
を受信機のコンピュータに実行させるためのデータ表示プログラム。
［構成例４７］
放送局、受信機、端末、ウェブサイトを備えたデータ表示システムにおける、受信機の調査プログラムであって、
放送局から、放送信号に、放送日時、放送局ＩＤを含む付帯情報を付加して放送されると、受信機の処理部は、放送局からの放送信号から付帯情報を検出し、該付帯情報により特定されるＵＲＬのウェブサイトに追加情報取得要求を送信する手順と、
ウェブサイトが、受信機から受信した追加情報取得要求に対する予め定められた追加情報を求め、ウェブサイトから該追加情報が受信機に返答されると、受信機の処理部は、ウェブサイトから受信した追加情報を、付帯情報に対応して蓄積部に蓄積し、該追加情報を、予め設定された端末宛てに自動により送信し、又は、端末からの問合せにより該端末へ送信し、端末に、受信機から受信した前記追加情報を表示部に可聴又は可視表示させ、さらに、端末に、追加情報を表示した際のログである接触ログ、及び／又は、受信機が放送信号から検出した際のログである視聴ログを、データ収集サーバ記憶部に記憶させるようにするための手順と、
を受信機のコンピュータに実行させるための調査プログラム。
［構成例４８］
放送局、受信機、端末、ウェブサイトを備えたデータ表示システムにおける端末のデータ表示プログラムであって、
受信機が、放送局から放送された放送信号から、放送日時、放送局ＩＤを含む付帯情報を検出し、該付帯情報を蓄積部に蓄積し、受信機から該付帯情報により特定されるＵＲＬが端末に送信されると、端末の処理部は、受信機から該ＵＲＬを受信し、該ＵＲＬのウェブサイトに追加情報取得要求を送信する手順と、
ウェブサイトが、端末から受信した追加情報取得要求に対する予め定められた追加情報を求め、ウェブサイトから該追加情報が端末に返答されると、端末の処理部は、ウェブサイトから追加情報を受信し、該追加情報を表示部に可聴又は可視表示する手順と
を端末のコンピュータに実行させるためのデータ表示プログラム。
［構成例４９］
放送局、受信機、端末、ウェブサイトを備えたデータ表示システムにおける端末の調査プログラムであって、
受信機が、放送局から放送された放送信号から、放送日時、放送局ＩＤを含む付帯情報を検出し、該付帯情報を蓄積部に蓄積し、受信機から該付帯情報により特定されるＵＲＬが端末に送信されると、端末の処理部は、受信機から該ＵＲＬを受信し、該ＵＲＬのウェブサイトに追加情報取得要求を送信する手順と、
ウェブサイトが、端末から受信した追加情報取得要求に対する予め定められた追加情報を求め、ウェブサイトから該追加情報が端末に返答されると、端末の処理部は、ウェブサイトから追加情報を受信し、該追加情報を表示部に可聴又は可視表示する手順と、
さらに、
端末の処理部は、追加情報を表示した際のログである接触ログ、及び／又は、受信機が放送信号から検出した際のログである視聴ログを、データ収集サーバ記憶部に記憶する手順と
を端末のコンピュータに実行させるための調査プログラム。
［構成例５０］
放送局、受信機、端末、ウェブサイト、ＵＲＬを特定するための情報に対してＵＲＬを記憶したネームサーバ記憶部を有するネームサーバを備えたデータ表示システムにおける端末のデータ表示プログラムであって、
受信機が、放送局から放送された放送信号から、放送日時、放送局ＩＤを含む付帯情報を検出し、該付帯情報を蓄積部に蓄積し、受信機から該付帯情報に含まれるＵＲＬを特定するための情報が端末に送信されると、端末の処理部は、受信機から該ＵＲＬを特定するための情報を受信し、ネームサーバに該ＵＲＬを特定するための情報を送信する手順と、
ネームサーバが、前記ネームサーバ記憶部を参照して、前記ＵＲＬを特定するための情報に従いＵＲＬを求めて、ネームサーバから該ＵＲＬが端末に返送されると、端末の処理部は、受信した該ＵＲＬにより特定されるウェブサイトに追加情報取得要求を送信する手順と、
ウェブサイトが、端末から受信した追加情報取得要求に対する予め定められた追加情報を求め、ウェブサイトから該追加情報が端末に返答されると、端末の処理部は、ウェブサイトから追加情報を受信し、該追加情報を表示部に可聴又は可視表示する手順と
を端末のコンピュータに実行させるためのデータ表示プログラム。
［構成例５１］
放送局、受信機、端末、ウェブサイト、ＵＲＬを特定するための情報に対してＵＲＬを記憶したネームサーバ記憶部を有するネームサーバを備えたデータ表示システムにおける端末の調査プログラムであって、
受信機が、放送局から放送された放送信号から、放送日時、放送局ＩＤを含む付帯情報を検出し、該付帯情報を蓄積部に蓄積し、受信機から該付帯情報に含まれるＵＲＬを特定するための情報が端末に送信されると、端末の処理部は、受信機から該ＵＲＬを特定するための情報を受信し、ネームサーバに該ＵＲＬを特定するための情報を送信する手順と、
ネームサーバが、前記ネームサーバ記憶部を参照して、前記ＵＲＬを特定するための情報に従いＵＲＬを求めて、ネームサーバから該ＵＲＬが端末に返送されると、端末の処理部は、受信した該ＵＲＬにより特定されるウェブサイトに追加情報取得要求を送信する手順と、
ウェブサイトが、端末から受信した追加情報取得要求に対する予め定められた追加情報を求め、ウェブサイトから該追加情報が端末に返答されると、端末の処理部は、ウェブサイトから追加情報を受信し、該追加情報を表示部に可聴又は可視表示する手順と、
さらに、
端末の処理部は、追加情報を表示した際のログである接触ログ、及び／又は、受信機が放送信号から検出した際のログである視聴ログを、データ収集サーバ記憶部に記憶する手順と
を端末のコンピュータに実行させるための調査プログラム。
【産業上の利用可能性】
【０１１５】
本発明は、テレビ、パソコン、ラジオ、携帯機器等の視聴率・聴取率・メディア接触率等の様々な情報表示、調査や測定に適用することができる。
以上では、主に、放送局等の特定について説明したが、本発明は、テレビ、パソコン、ラジオ、携帯機器等の様々なコンテンツ・素材を放送・配信する放送局・メディアの特定にも適用することができる。さらに、本発明は、モバイル端末に限らず、適宜の無線端末、固定端末等の端末に適用することができる。
【０１１６】
また、受信機（受像機、ＴＶ等）及び端末（モバイル端末、固定端末等）は、各処理シーケンスの各ステップ（手順）を実行するための処理部（コンピュータ）を備える。そして、本発明のデータ表示・調査方法又はデータ表示・調査のための装置・システムは、その各手順をコンピュータ（ＣＰＵ、処理部等）に実行させるためのデータ表示・調査プログラム、データ表示・調査プログラムを記録したコンピュータ読み取り可能な記録媒体、データ表示・調査プログラムを含みコンピュータの内部メモリにロード可能なプログラム製品、そのプログラムを含むサーバ等のコンピュータ、等により提供されることができる。
【符号の説明】
【０１１７】
１  放送局
２  受像機
３  モバイル端末
４  ウェブサイト
５  データ収集サーバ
６  測定サーバ
７  ネームサーバ
【図１】
0005947965.tif 000002
【図２】
0005947965.tif 000003
【図３】
0005947965.tif 000004
【図４】
0005947965.tif 000005
【図５】
0005947965.tif 000006
【図６】
0005947965.tif 000007
【図７】
0005947965.tif 000008
【図８】
0005947965.tif 000009
【図９】
0005947965.tif 000010
【図１０】
0005947965.tif 000011
【図１１】
0005947965.tif 000012
【図１２】
0005947965.tif 000013
【図１３】
0005947965.tif 000014
【図１４】
0005947965.tif 000015
【図１５】
0005947965.tif 000016